【手続補正書】
【提出日】平成16年10月12日(2004.10.12)
【手続補正１】
【補正対象書類名】明細書
【補正対象項目名】特許請求の範囲
【補正方法】変更
【補正の内容】
【特許請求の範囲】
【請求項１】  下記式I：
【化１】
2002543203.tif 000001
［式中、R1a及びR1bは同じであっても又は異なっていてもよく、そして水素、C1−C10アルキル、C6−C12アリール、又はC7−C20アラルキルを意味し、それぞれ任意に置換されていてもよく；あるいは一緒になって、−(CH2)m−基（ｍは１，２，３，４又は５である）又は−（CH2）−O−（CH2）−基を意味し；
R2aは、水素、C1−C10アルキル、C6−C12アリール、又はC7−C20アラルキル（それぞれ任意に置換されていてもよい）、−(CH2)ra−C≡C−(CH2)pa−R26a、−(CH2)ra−C＝C−(CH2)pa−R26a、
【化２】
2002543203.tif 000002
を意味し；
R2bは、−(CH2)rb−C≡C−(CH2)pb−R26b、−(CH2)rb−C＝C−(CH2)pb−R26b、
【化３】
2002543203.tif 000003
を意味し；
ｎは、０〜５を意味し；
ra及びrbは、同じであっても又は異なっていてもよく、そして０〜４を意味し；
pa及びpbは、同じであっても又は異なっていてもよく、そして０〜３を意味し；
R3aは、水素、又はC1−C10アルキル、C6−C12アリールもしくはC7−C20アラルキルを意味し、それぞれ任意に置換されていてもよく；
R3bは、OH又はOPG14を意味し、ここでPG14は保護基であり；
R14は、水素、OR14a又はHalであり、ここでR14aは水素、SO2−アルキル、SO2−アリール又はSO2−アラルキルであり；
R4は、水素、C1−C10アルキル、C6−C12アリールもしくはC7−C20アラルキル（それぞれ任意に置換されていてもよい）；Hal；OR25；又はCNを意味し；
R25は、水素又は保護基PG5を意味し；
R26a及びR26bは、同じであっても又は異なっていてもよく、そして水素；C1−C10アルキル、C6−C12アリール又はC7−C20アラルキル（それぞれ任意に置換されていてもよい）；C1−C10アシルを意味し、あるいはpa又はpb＞０である場合、さらに、基OR27を意味し；
R27は、水素又は保護基PG6を意味し；
R5は、水素、C1−C10アルキル、C6−C12アリール、C7−C20アラルキル（それぞれ任意に置換されていてもよい）;又は (CH2)s−Tを意味し、ここでｓは１，２，３又は４を表し、TはOR22又はHalを表し、R22は水素又は保護基PG4を表し；
R6及びR7はそれぞれ、水素原子を意味し、又は一緒になって、追加の結合又は酸素原子を意味し；
Gは、基X＝CR8−、又は二環又は三環式アリール基を意味し；
R8は、水素、ハロゲン、CN、C1−C10アルキル、C6−C12アリール、C7−C20アラルキルを意味し、それぞれは置換されていてもよく；
Xは、酸素原子、２つのアルコキシ基OR23、C2−C10−アルキレン−α、ω−ジオキシ基（直鎖又は枝分かれ鎖であり得る）、H/OR9又は基CR10R11を意味し、ここで
R23は、C1−C10アルキル基を表し；
R9は、水素又は保護基PGxを表し；
R10及びR11は、同じであっても又は異なっていてもよく、そして水素、C1−C20アルキル、C6−C12アリール又はC7−C20アラルキル基を表し、それぞれ任意に置換されていてもよく；あるいはR10及び R11は、メチレン炭素原子と共に、５〜７−員の炭素環式環を表し；
D−Eは、基−CH2−CH2−、又は−O−CH2−を意味し；
A−Yは、基O−C（＝O）、O−CH2、CH2C(＝)、NR29−C（＝O）又はNR29−SO2を意味し、ここでR29は水素又はC1−C10アルキルを意味し；
Zは、酸素原子又はH/OR12を意味し、ここでR12は水素又は保護基PG4であり；
Halはハロゲンを意味する］
で表されるエポチロン化合物。
【請求項２】  R1aが水素原子を表す請求項１記載の化合物。
【請求項３】  R1a及びR1bが、個々の場合、メチル基を表し、又は一緒になって、ジメチレン又はトリメチレン基を形成する請求項１記載の化合物。
【請求項４】  Gが基X＝CR8−（ここで、R8はハロゲン原子又はニトリル基である）である請求項１記載の化合物。
【請求項５】  R8が弗素原子である請求項４記載の化合物。
【請求項６】  （4S, 7R, 8S, 9S, 13E/Z, 16S(E)）−４，８−ジヒドロキシ−16−（１−メチル−２−（２−ピリジル）エテニル）−1−オキサ−５，５，９，13−テトラメチル−７−（ブト−３−イン−１−イル）−シクロヘキサデク−13−エン−２，６−ジオン；
（1S/R, 3S(E), 7S, 10R, 11R, 12S, 16R/S）−７，11−ジヒドロキシ−10−（ブト−３−イン−１−イル）−３−（１−メチル−２−（２−ピリジル）エテニル）−８，８，１２，１６−テトラメチル−４，17−ジオキサビシクロ［14．１．０］ヘプタデカン−５，９−ジオン；
（4S, 7R, 8S, 9S, 13E/Z, 16S(E)）−４，８−ジヒドロキシ−16−（２−（２−ピリジル）エテニル）−1−オキサ−５，５，９，13−テトラメチル−７−（ブト−３−イン−１−イル）−シクロヘキサデク−13−エン−２，６−ジオン；
（1S/R, 3S(E), 7S, 10R, 11R, 12S, 16R/S）−７，11−ジヒドロキシ−10−（ブト−３−イン−１−イル）−３−（２−（２−ピリジル）エテニル）−８，８，１２，１６−テトラメチル−４，17−ジオキサビシクロ［14．１．０］ヘプタデカン−５，９−ジオン；
（4S, 7R, 8S, 9S, 13E/Z, 16S(E)）−４，８−ジヒドロキシ−16−（１−フルオロ−２−（２−ピリジル）エテニル）−1−オキサ−５，５，９，13−テトラメチル−７−（ブト−３−イン−１−イル）−シクロヘキサデク−13−エン−２，６−ジオン；
（1S/R, 3S(E), 7S, 10R, 11R, 12S, 16R/S）−７，11−ジヒドロキシ−10−（ブト−３−イン−１−イル）−３−（１−フルオロ−２−（２−ピリジル）エテニル）−８，８，１２，１６−テトラメチル−４，17−ジオキサビシクロ［14．１．０］ヘプタデカン−５，９−ジオン；
（4S, 7R, 8S, 9S, 13E/Z, 16S(E)）−４，８−ジヒドロキシ−16−（１−クロロ−２−（２−ピリジル）エテニル）−1−オキサ−５，５，９，13−テトラメチル−７−（ブト−３−イン−１−イル）−シクロヘキサデク−13−エン−２，６−ジオン；
（1S/R, 3S(E), 7S, 10R, 11R, 12S, 16R/S）−７，11−ジヒドロキシ−10−（ブト−３−イン−１−イル）−３−（１−クロロ−２−（２−ピリジル）エテニル）−８，８，１２，１６−テトラメチル−４，17−ジオキサビシクロ［14．１．０］ヘプタデカン−５，９−ジオン；
（4S, 7R, 8S, 9S, 13E/Z, 16S(E)）−４，８−ジヒドロキシ−16−（１−メチル−２−（２−ピリジル）エテニル）−1−オキサ−５，５，９，13−テトラメチル−７−（ブト−３−エン−１−イル）−シクロヘキサデク−13−エン−２，６−ジオン；
（1S/R, 3S(E), 7S, 10R, 11R, 12S, 16R/S）−７，11−ジヒドロキシ−10−（ブト−３−エン−１−イル）−３−（１−メチル−２−（２−ピリジル）エテニル）−８，８，１２，１６−テトラメチル−４，17−ジオキサビシクロ［14．１．０］ヘプタデカン−５，９−ジオン；
（4S, 7R, 8S, 9S, 13E/Z, 16S(E)）−４，８−ジヒドロキシ−16−（２−（２−ピリジル）エテニル）−1−オキサ−５，５，９，13−テトラメチル−７−（ブト−３−エン−１−イル）−シクロヘキサデク−13−エン−２，６−ジオン；
（1S/R, 3S(S), 7S, 10R, 11R, 12S, 16R/S）−７，11−ジヒドロキシ−10−（ブト−３−エン−１−イル）−３−（２−（２−ピリジル）エテニル）−８，８，１２，１６−テトラメチル−４，17−ジオキサビシクロ［14．１．０］ヘプタデカン−５，９−ジオン；
（4S, 7R, 8S, 9S, 13E/Z, 16S(E)）−４，８−ジヒドロキシ−16−（１−フルオロ−２−（２−ピリジル）エテニル）−1−オキサ−５，５，９，13−テトラメチル−７−（ブト−３−エン−１−イル）−シクロヘキサデク−13−エン−２，６−ジオン；
（1S/R, 3S(E), 7S, 10R, 11R, 12S, 16R/S）−７，11−ジヒドロキシ−10−（ブト−３−エン−１−イル）−３−（１−フルオロ−２−（２−ピリジル）エテニル）−８，８，１２，１６−テトラメチル−４，17−ジオキサビシクロ［14．１．０］ヘプタデカン−５，９−ジオン；
（4S, 7R, 8S, 9S, 13E/Z, 16S(E)）−４，８−ジヒドロキシ−16−（１−クロロ−２−（２−ピリジル）エテニル）−1−オキサ−５，５，９，13−テトラメチル−７−（ブト−３−エン−１−イル）−シクロヘキサデク−13−エン−２，６−ジオン；
（1S/R, 3S(E), 7S, 10R, 11R, 12S, 16R/S）−７，11−ジヒドロキシ−10−（ブト−３−エン−１−イル）−３−（１−クロロ−２−（２−ピリジル）エテニル）−８，８，１２，１６−テトラメチル−４，17−ジオキサビシクロ［14．１．０］ヘプタデカン−５，９−ジオン；
（4S, 7R(RS), 8S, 9S, 13E/Z, 16S(E)）−４，８−ジヒドロキシ−16−（１−メチル−２−（２−ピリジル）エテニル）−1−オキサ−５，５，９，13−テトラメチル−７−（２−オキサシクロプロピル−１−エチル）−シクロヘキサデク−13−エン−２，６−ジオン；
（1S/R, 3S(E), 7S, 10R(RS), 11R, 12S, 16R/S）−７，11−ジヒドロキシ−10−（２−オキサシクロプロピル−１−エチル）−３−（１−メチル−２−（２−ピリジル）エテニル）−８，８，１２，１６−テトラメチル−４，17−ジオキサビシクロ［14．１．０］ヘプタデカン−５，９−ジオン；
（4S, 7R(RS), 8S, 9S, 13E/Z, 16S(E)）−４，８−ジヒドロキシ−16−（２−（２−ピリジル）エテニル）−1−オキサ−５，５，９，13−テトラメチル−７−（２−オキサシクロプロピル−１−エチル）−シクロヘキサデク−13−エン−２，６−ジオン；
（1S/R, 3S(E), 7S, 10R(RS), 11R, 12S, 16R/S）−７，11−ジヒドロキシ−10−（２−オキサシクロプロピル−１−エチル）−３−（２−（２−ピリジル）エテニル）−８，８，１２，１６−テトラメチル−４，17−ジオキサビシクロ［14．１．０］ヘプタデカン−５，９−ジオン；
（4S, 7R(RS), 8S, 9S, 13E/Z, 16S(E)）−４，８−ジヒドロキシ−16−（１−フルオロ−２−（２−ピリジル）エテニル）−1−オキサ−５，５，９，13−テトラメチル−７−（２−オキサシクロプロピル−１−エチル）−シクロヘキサデク−13−エン−２，６−ジオン；
（1S/R, 3S(E), 7S, 10R(RS), 11R, 12S, 16R/S）−７，11−ジヒドロキシ−10−（２−オキサシクロプロピル−１−エチル）−３−（１−フルオロ−２−（２−ピリジル）エテニル）−８，８，１２，１６−テトラメチル−４，17−ジオキサビシクロ［14．１．０］ヘプタデカン−５，９−ジオン；
（4S, 7R(RS), 8S, 9S, 13E/Z, 16S(E)）−４，８−ジヒドロキシ−16−（１−クロロ−２−（２−ピリジル）エテニル）−1−オキサ−５，５，９，13−テトラメチル−７−（２−オキサシクロプロピル−１−エチル）−シクロヘキサデク−13−エン−２，６−ジオン；
（1S/R, 3S(E), 7S, 10R(RS), 11R, 12S, 16R/S）−７，11−ジヒドロキシ−10−（２−オキサシクロプロピル−１−エチル）−３−（１−クロロ−２−（２−ピリジル）エテニル）−８，８，１２，１６−テトラメチル−４，17−ジオキサビシクロ［14．１．０］ヘプタデカン−５，９−ジオン；
（4S, 7R, 8S, 9S, 13E/Z, 16S(E)）−４，８−ジヒドロキシ−16−（１−メチル−２−（２−ピリジル）エテニル）−1−オキサ−５，５，９，13−テトラメチル−７−（プロプ−２−イン−１−イル）−シクロヘキサデク−13−エン−２，６−ジオン；
（1S/R, 3S(E), 7S, 10R, 11R, 12S, 16R/S）−７，11−ジヒドロキシ−10−（プロプ−２−イン−１−イル）−３−（１−メチル−２−（２−ピリジル）エテニル）−８，８，１２，１６−テトラメチル−４，17−ジオキサビシクロ［14．１．０］ヘプタデカン−５，９−ジオン；
（4S, 7R, 8S, 9S, 13E/Z, 16S(E)）−４，８−ジヒドロキシ−16−（２−（２−ピリジル）エテニル）−1−オキサ−５，５，９，13−テトラメチル−７−（プロプ−２−イン−１−イル）−シクロヘキサデク−13−エン−２，６−ジオン；
（1S/R, 3S(E), 7S, 10R, 11R, 12S, 16R/S）−７，11−ジヒドロキシ−10−（プロプ−２−イン−１−イル）−３−（２−（２−ピリジル）エテニル）−８，８，１２，１６−テトラメチル−４，17−ジオキサビシクロ［14．１．０］ヘプタデカン−５，９−ジオン；
（4S, 7R, 8S, 9S, 13E/Z, 16S(E)）−４，８−ジヒドロキシ−16−（１−フルオロ−２−（２−ピリジル）エテニル）−1−オキサ−５，５，９，13−テトラメチル−７−（プロプ−２−イン−１−イル）−シクロヘキサデク−13−エン−２，６−ジオン；
（1S/R, 3S(E), 7S, 10R, 11R, 12S, 16R/S）−７，11−ジヒドロキシ−10−（プロプ−２−イン−１−イル）−３−（１−フルオロ−２−（２−ピリジル）エテニル）−８，８，１２，１６−テトラメチル−４，17−ジオキサビシクロ［14．１．０］ヘプタデカン−５，９−ジオン；
（4S, 7R, 8S, 9S, 13E/Z, 16S(E)）−４，８−ジヒドロキシ−16−（１−クロロ−２−（２−ピリジル）エテニル）−1−オキサ−５，５，９，13−テトラメチル−７−（プロプ−２−イン−１−イル）−シクロヘキサデク−13−エン−２，６−ジオン；
（1S/R, 3S(E), 7S, 10R, 11R, 12S, 16R/S）−７，11−ジヒドロキシ−10−（プロプ−２−イン−１−イル）−３−（１−クロロ−２−（２−ピリジル）エテニル）−８，８，１２，１６−テトラメチル−４，17−ジオキサビシクロ［14．１．０］ヘプタデカン−５，９−ジオン；
（4S, 7R, 8S, 9S, 13E/Z, 16S(E)）−４，８−ジヒドロキシ−16−（１−メチル−２−（２−ピリジル）エテニル）−1−オキサ−５，５，９，13−テトラメチル−７−（プロプ−２−エン−１−イル）−シクロヘキサデク−13−エン−２，６−ジオン；
（1S/R, 3S(E), 7S, 10R, 11R, 12S, 16R/S）−７，11−ジヒドロキシ−10−（プロプ−２−エン−１−イル）−３−（１−メチル−２−（２−ピリジル）エテニル）−８，８，１２，１６−テトラメチル−４，17−ジオキサビシクロ［14．１．０］ヘプタデカン−５，９−ジオン；
（4S, 7R, 8S, 9S, 13E/Z, 16S(E)）−４，８−ジヒドロキシ−16−（２−（２−ピリジル）エテニル）−1−オキサ−５，５，９，13−テトラメチル−７−（プロプ−２−エン−１−イル）−シクロヘキサデク−13−エン−２，６−ジオン；
（1S/R, 3S(E), 7S, 10R, 11R, 12S, 16R/S）−７，11−ジヒドロキシ−10−（プロプ−２−エン−１−イル）−３−（２−（２−ピリジル）エテニル）−８，８，１２，１６−テトラメチル−４，17−ジオキサビシクロ［14．１．０］ヘプタデカン−５，９−ジオン；
（4S, 7R, 8S, 9S, 13E/Z, 16S(E)）−４，８−ジヒドロキシ−16−（１−フルオロ−２−（２−ピリジル）エテニル）−1−オキサ−５，５，９，13−テトラメチル−７−（プロプ−２−エン−１−イル）−シクロヘキサデク−13−エン−２，６−ジオン；
（1S/R, 3S(E), 7S, 10R, 11R, 12S, 16R/S）−７，11−ジヒドロキシ−10−（プロプ−２−エン−１−イル）−３−（１−フルオロ−２−（２−ピリジル）エテニル）−８，８，１２，１６−テトラメチル−４，17−ジオキサビシクロ［14．１．０］ヘプタデカン−５，９−ジオン；
（4S, 7R, 8S, 9S, 13E/Z, 16S(E)）−４，８−ジヒドロキシ−16−（１−クロロ−２−（２−ピリジル）エテニル）−1−オキサ−５，５，９，13−テトラメチル−７−（プロプ−２−エン−１−イル）−シクロヘキサデク−13−エン−２，６−ジオン；
（1S/R, 3S(E), 7S, 10R, 11R, 12S, 16R/S）−７，11−ジヒドロキシ−10−（プロプ−２−エン−１−イル）−３−（１−クロロ−２−（２−ピリジル）エテニル）−８，８，１２，１６−テトラメチル−４，17−ジオキサビシクロ［14．１．０］ヘプタデカン−５，９−ジオン；
（4S, 7R(RS), 8S, 9S, 13E/Z, 16S(E)）−４，８−ジヒドロキシ−16−（１−メチル−２−（２−ピリジル）エテニル）−1−オキサ−５，５，９，13−テトラメチル−７−（オキサシクロプロピルメチル）−シクロヘキサデク−13−エン−２，６−ジオン；
（1S/R, 3S(E), 7S, 10R(RS), 11R, 12S, 16R/S）−７，11−ジヒドロキシ−10−（オキサシクロプロピルメチル）−３−（１−メチル−２−（２−ピリジル）エテニル）−８，８，１２，１６−テトラメチル−４，17−ジオキサビシクロ［14．１．０］ヘプタデカン−５，９−ジオン；
（4S, 7R(RS), 8S, 9S, 13E/Z, 16S(E)）−４，８−ジヒドロキシ−16−（２−（２−ピリジル）エテニル）−1−オキサ−５，５，９，13−テトラメチル−７−（オキサシクロプロピルメチル）−シクロヘキサデク−13−エン−２，６−ジオン；
（1S/R, 3S(E), 7S, 10R(RS), 11R, 12S, 16R/S）−７，11−ジヒドロキシ−10−（オキサシクロプロピルメチル）−３−（２−（２−ピリジル）エテニル）−８，８，１２，１６−テトラメチル−４，17−ジオキサビシクロ［14．１．０］ヘプタデカン−５，９−ジオン；
（4S, 7R(RS), 8S, 9S, 13E/Z, 16S(E)）−４，８−ジヒドロキシ−16−（１−フルオロ−２−（２−ピリジル）エテニル）−1−オキサ−５，５，９，13−テトラメチル−７−（オキサシクロプロピルメチル）−シクロヘキサデク−13−エン−２，６−ジオン；
（1S/R, 3S(E), 7S, 10R(RS), 11R, 12S, 16R/S）−７，11−ジヒドロキシ−10−（オキサシクロプロピルメチル）−３−（１−フルオロ−２−（２−ピリジル）エテニル）−８，８，１２，１６−テトラメチル−４，17−ジオキサビシクロ［14．１．０］ヘプタデカン−５，９−ジオン；
（4S, 7R(RS), 8S, 9S, 13E/Z, 16S(E)）−４，８−ジヒドロキシ−16−（１−クロロ−２−（２−ピリジル）エテニル）−1−オキサ−５，５，９，13−テトラメチル−７−（オキサシクロプロピルメチル）−シクロヘキサデク−13−エン−２，６−ジオン；
（1S/R, 3S(E), 7S, 10R(RS), 11R, 12S, 16R/S）−７，11−ジヒドロキシ−10−（オキサシクロプロピルメチル）−３−（１−クロロ−２−（２−ピリジル）エテニル）−８，８，１２，１６−テトラメチル−４，17−ジオキサビシクロ［14．１．０］ヘプタデカン−５，９−ジオン；
（4S, 7R, 8S, 9S, 13E/Z, 16S(E)）−４，８−ジヒドロキシ−16−（１−メチル−２−（２−メチルチアゾール−４−イル）エテニル）−1−オキサ−５，５，９，13−テトラメチル−７−（ブト−３−イン−１−イル）−シクロヘキサデク−13−エン−２，６−ジオン；
（1S/R, 3S(E), 7S, 10R, 11R, 12S, 16R/S）−７，11−ジヒドロキシ−10−（ブト−３−イン−１−イル）−３−（１−メチル−２−（２−メチルチアゾール−４−イル）エテニル）−８，８，１２，１６−テトラメチル−４，17−ジオキサビシクロ［14．１．０］ヘプタデカン−５，９−ジオン；
（4S, 7R, 8S, 9S, 13E/Z, 16S(E)）−４，８−ジヒドロキシ−16−（２−（２−メチルチアゾール−４−イル）エテニル）−1−オキサ−５，５，９，13−テトラメチル−７−（ブト−３−イン−１−イル）−シクロヘキサデク−13−エン−２，６−ジオン；
（1S/R, 3S(E), 7S, 10R, 11R, 12S, 16R/S）−７，11−ジヒドロキシ−10−（ブト−３−イン−１−イル）−３−（２−（２−メチルチアゾール−４−イル）エテニル）−８，８，１２，１６−テトラメチル−４，17−ジオキサビシクロ［14．１．０］ヘプタデカン−５，９−ジオン；
（4S, 7R, 8S, 9S, 13E/Z, 16S(E)）−４，８−ジヒドロキシ−16−（１−フルオロ−２−（２−メチルチアゾール−４−イル）エテニル）−1−オキサ−５，５，９，13−テトラメチル−７−（ブト−３−イン−１−イル）−シクロヘキサデク−13−エン−２，６−ジオン；
（1S/R, 3S(E), 7S, 10R, 11R, 12S, 16R/S）−７，11−ジヒドロキシ−10−（ブト−３−イン−１−イル）−３−（１−フルオロ−２−（２−メチルチアゾール−４−イル）エテニル）−８，８，１２，１６−テトラメチル−４，17−ジオキサビシクロ［14．１．０］ヘプタデカン−５，９−ジオン；
（4S, 7R, 8S, 9S, 13E/Z, 16S(E)）−４，８−ジヒドロキシ−16−（１−クロロ−２−（２−メチルチアゾール−４−イル）エテニル）−1−オキサ−５，５，９，13−テトラメチル−７−（ブト−３−イン−１−イル）−シクロヘキサデク−13−エン−２，６−ジオン；
（1S/R, 3S(E), 7S, 10R, 11R, 12S, 16R/S）−７，11−ジヒドロキシ−10−（ブト−３−イン−１−イル）−３−（１−クロロ−２−（２−メチルチアゾール−４−イル）エテニル）−８，８，１２，１６−テトラメチル−４，17−ジオキサビシクロ［14．１．０］ヘプタデカン−５，９−ジオン；
（4S, 7R, 8S, 9S, 13E/Z, 16S(E)）−４，８−ジヒドロキシ−16−（１−メチル−２−（２−メチルチアゾール−４−イル）エテニル）−1−オキサ−５，５，９，13−テトラメチル−７−（ブト−３−エン−１−イル）−シクロヘキサデク−13−エン−２，６−ジオン；
（1S/R, 3S(E), 7S, 10R, 11R, 12S, 16R/S）−７，11−ジヒドロキシ−10−（ブト−３−エン−１−イル）−３−（１−メチル−２−（２−メチルチアゾール−４−イル）エテニル）−８，８，１２，１６−テトラメチル−４，17−ジオキサビシクロ［14．１．０］ヘプタデカン−５，９−ジオン；
（4S, 7R, 8S, 9S, 13E/Z, 16S(E)）−４，８−ジヒドロキシ−16−（２−（２−メチルチアゾール−４−イル）エテニル）−1−オキサ−５，５，９，13−テトラメチル−７−（ブト−３−エン−１−イル）−シクロヘキサデク−13−エン−２，６−ジオン；
（1S/R, 3S(E), 7S, 10R, 11R, 12S, 16R/S）−７，11−ジヒドロキシ−10−（ブト−３−エン−１−イル）−３−（２−（２−メチルチアゾール−４−イル）エテニル）−８，８，１２，１６−テトラメチル−４，17−ジオキサビシクロ［14．１．０］ヘプタデカン−５，９−ジオン；
（4S, 7R, 8S, 9S, 13E/Z, 16S(E)）−４，８−ジヒドロキシ−16−（１−フルオロ−２−（２−メチルチアゾール−４−イル）エテニル）−1−オキサ−５，５，９，13−テトラメチル−７−（ブト−３−エン−１−イル）−シクロヘキサデク−13−エン−２，６−ジオン；
（1S/R, 3S(E), 7S, 10R, 11R, 12S, 16R/S）−７，11−ジヒドロキシ−10−（ブト−３−エン−１−イル）−３−（１−フルオロ−２−（２−メチルチアゾール−４−イル）エテニル）−８，８，１２，１６−テトラメチル−４，17−ジオキサビシクロ［14．１．０］ヘプタデカン−５，９−ジオン；
（4S, 7R, 8S, 9S, 13E/Z, 16S(E)）−４，８−ジヒドロキシ−16−（１−クロロ−２−（２−メチルチアゾール−４−イル）エテニル）−1−オキサ−５，５，９，13−テトラメチル−７−（ブト−３−エン−１−イル）−シクロヘキサデク−13−エン−２，６−ジオン；
（1S/R, 3S(E), 7S, 10R, 11R, 12S, 16R/S）−７，11−ジヒドロキシ−10−（ブト−３−エン−１−イル）−３−（１−クロロ−２−（２−メチルチアゾール−４−イル）エテニル）−８，８，１２，１６−テトラメチル−４，17−ジオキサビシクロ［14．１．０］ヘプタデカン−５，９−ジオン；
（4S, 7R(RS), 8S, 9S, 13E/Z, 16S(E)）−４，８−ジヒドロキシ−16−（１−メチル−２−（２−メチルチアゾール−４−イル）エテニル）−1−オキサ−５，５，９，13−テトラメチル−７−（２−オキサシクロプロピル−１−エチル）−シクロヘキサデク−13−エン−２，６−ジオン；
（1S/R, 3S(E), 7S, 10R(RS), 11R, 12S, 16R/S）−７，11−ジヒドロキシ−10−（２−オキサシクロプロピル−１−エチル）−３−（１−メチル−２−（２−メチルチアゾール−４−イル）エテニル）−８，８，１２，１６−テトラメチル−４，17−ジオキサビシクロ［14．１．０］ヘプタデカン−５，９−ジオン；
（4S, 7R(RS), 8S, 9S, 13E/Z, 16S(E)）−４，８−ジヒドロキシ−16−（２−（２−メチルチアゾール−４−イル）エテニル）−1−オキサ−５，５，９，13−テトラメチル−７−（２−オキサシクロプロピル−１−エチル）−シクロヘキサデク−13−エン−２，６−ジオン；
（1S/R, 3S(E), 7S, 10R(RS), 11R, 12S, 16R/S）−７，11−ジヒドロキシ−10−（２−オキサシクロプロピル−１−エチル）−３−（２−（２−メチルチアゾール−４−イル）エテニル）−８，８，１２，１６−テトラメチル−４，17−ジオキサビシクロ［14．１．０］ヘプタデカン−５，９−ジオン；
（4S, 7R(RS), 8S, 9S, 13E/Z, 16S(E)）−４，８−ジヒドロキシ−16−（１−フルオロ−２−（２−メチルチアゾール−４−イル）エテニル）−1−オキサ−５，５，９，13−テトラメチル−７−（２−オキサシクロプロピル−１−エチル）−シクロヘキサデク−13−エン−２，６−ジオン；
（1S/R, 3S(E), 7S, 10R(RS), 11R, 12S, 16R/S）−７，11−ジヒドロキシ−10−（２−オキサシクロプロピル−１−エチル）−３−（１−フルオロ−２−（２−メチルチアゾール−４−イル）エテニル）−８，８，１２，１６−テトラメチル−４，17−ジオキサビシクロ［14．１．０］ヘプタデカン−５，９−ジオン；
（4S, 7R(RS), 8S, 9S, 13E/Z, 16S(E)）−４，８−ジヒドロキシ−16−（１−クロロ−２−（２−メチルチアゾール−４−イル）エテニル）−1−オキサ−５，５，９，13−テトラメチル−７−（２−オキサシクロプロピル−１−エチル）−シクロヘキサデク−13−エン−２，６−ジオン；
（1S/R, 3S(E), 7S, 10R(RS), 11R, 12S, 16R/S）−７，11−ジヒドロキシ−10−（２−オキサシクロプロピル−１−エチル）−３−（１−クロロ−２−（２−メチルチアゾール−４−イル）エテニル）−８，８，１２，１６−テトラメチル−４，17−ジオキサビシクロ［14．１．０］ヘプタデカン−５，９−ジオン；
（4S, 7R, 8S, 9S, 13E/Z, 16S(E)）−４，８−ジヒドロキシ−16−（１−メチル−２−（２−メチルチアゾール−４−イル）エテニル）−1−オキサ−５，５，９，13−テトラメチル−７−（プロプ−２−イン−１−イル）−シクロヘキサデク−13−エン−２，６−ジオン；
（1S/R, 3S(E), 7S, 10R, 11R, 12S, 16R/S）−７，11−ジヒドロキシ−10−（プロプ−２−イン−１−イル）−３−（１−メチル−２−（２−メチルチアゾール−４−イル）エテニル）−８，８，１２，１６−テトラメチル−４，17−ジオキサビシクロ［14．１．０］ヘプタデカン−５，９−ジオン；
（4S, 7R, 8S, 9S, 13E/Z, 16S(E)）−４，８−ジヒドロキシ−16−（２−（２−メチルチアゾール−４−イル）エテニル）−1−オキサ−５，５，９，13−テトラメチル−７−（プロプ−２−イン−１−イル）−シクロヘキサデク−13−エン−２，６−ジオン；
（1S/R, 3S(E), 7S, 10R, 11R, 12S, 16R/S）−７，11−ジヒドロキシ−10−（プロプ−２−イン−１−イル）−３−（２−（２−メチルチアゾール−４−イル）エテニル）−８，８，１２，１６−テトラメチル−４，17−ジオキサビシクロ［14．１．０］ヘプタデカン−５，９−ジオン；
（4S, 7R, 8S, 9S, 13E/Z, 16S(E)）−４，８−ジヒドロキシ−16−（１−フルオロ−２−（２−メチルチアゾール−４−イル）エテニル）−1−オキサ−５，５，９，13−テトラメチル−７−（プロプ−２−イン−１−イル）−シクロヘキサデク−13−エン−２，６−ジオン；
（1S/R, 3S(E), 7S, 10R, 11R, 12S, 16R/S）−７，11−ジヒドロキシ−10−（プロプ−２−イン−１−イル）−３−（１−フルオロ−２−（２−メチルチアゾール−４−イル）エテニル）−８，８，１２，１６−テトラメチル−４，17−ジオキサビシクロ［14．１．０］ヘプタデカン−５，９−ジオン；
（4S, 7R, 8S, 9S, 13E/Z, 16S(E)）−４，８−ジヒドロキシ−16−（１−クロロ−２−（２−メチルチアゾール−４−イル）エテニル）−1−オキサ−５，５，９，13−テトラメチル−７−（プロプ−２−イン−１−イル）−シクロヘキサデク−13−エン−２，６−ジオン；
（1S/R, 3S(E), 7S, 10R, 11R, 12S, 16R/S）−７，11−ジヒドロキシ−10−（プロプ−２−イン−１−イル）−３−（１−クロロ−２−（２−メチルチアゾール−４−イル）エテニル）−８，８，１２，１６−テトラメチル−４，17−ジオキサビシクロ［14．１．０］ヘプタデカン−５，９−ジオン；
（4S, 7R, 8S, 9S, 13E/Z, 16S(E)）−４，８−ジヒドロキシ−16−（１−メチル−２−（２−メチルチアゾール−４−イル）エテニル）−1−オキサ−５，５，９，13−テトラメチル−７−（プロプ−２−エン−１−イル）−シクロヘキサデク−13−エン−２，６−ジオン；
（1S/R, 3S(E), 7S, 10R, 11R, 12S, 16R/S）−７，11−ジヒドロキシ−10−（プロプ−２−エン−１−イル）−３−（１−メチル−２−（２−メチルチアゾール−４−イル）エテニル）−８，８，１２，１６−テトラメチル−４，17−ジオキサビシクロ［14．１．０］ヘプタデカン−５，９−ジオン；
（4S, 7R, 8S, 9S, 13E/Z, 16S(E)）−４，８−ジヒドロキシ−16−（２−（２−メチルチアゾール−４−イル）エテニル）−1−オキサ−５，５，９，13−テトラメチル−７−（プロプ−２−エン−１−イル）−シクロヘキサデク−13−エン−２，６−ジオン；
（1S/R, 3S(E), 7S, 10R, 11R, 12S, 16R/S）−７，11−ジヒドロキシ−10−（プロプ−２−エン−１−イル）−３−（２−（２−メチルチアゾール−４−イル）エテニル）−８，８，１２，１６−テトラメチル−４，17−ジオキサビシクロ［14．１．０］ヘプタデカン−５，９−ジオン；
（4S, 7R, 8S, 9S, 13E/Z, 16S(E)）−４，８−ジヒドロキシ−16−（１−フルオロ−２−（２−メチルチアゾール−４−イル）エテニル）−1−オキサ−５，５，９，13−テトラメチル−７−（プロプ−２−エン−１−イル）−シクロヘキサデク−13−エン−２，６−ジオン；
（1S/R, 3S(E), 7S, 10R, 11R, 12S, 16R/S）−７，11−ジヒドロキシ−10−（プロプ−２−エン−１−イル）−３−（１−フルオロ−２−（２−メチルチアゾール−４−イル）エテニル）−８，８，１２，１６−テトラメチル−４，17−ジオキサビシクロ［14．１．０］ヘプタデカン−５，９−ジオン；
（4S, 7R, 8S, 9S, 13E/Z, 16S(E)）−４，８−ジヒドロキシ−16−（１−クロロ−２−（２−メチルチアゾール−４−イル）エテニル）−1−オキサ−５，５，９，13−テトラメチル−７−（プロプ−２−エン−１−イル）−シクロヘキサデク−13−エン−２，６−ジオン；
（1S/R, 3S(E), 7S, 10R, 11R, 12S, 16R/S）−７，11−ジヒドロキシ−10−（プロプ−２−エン−１−イル）−３−（１−クロロ−２−（２−メチルチアゾール−４−イル）エテニル）−８，８，１２，１６−テトラメチル−４，17−ジオキサビシクロ［14．１．０］ヘプタデカン−５，９−ジオン；
（4S, 7R(RS), 8S, 9S, 13E/Z, 16S(E)）−４，８−ジヒドロキシ−16−（１−メチル−２−（２−メチルチアゾール−４−イル）エテニル）−1−オキサ−５，５，９，13−テトラメチル−７−（オキサシクロプロピルメチル）−シクロヘキサデク−13−エン−２，６−ジオン；
（1S/R, 3S(E), 7S, 10R(RS), 11R, 12S, 16R/S）−７，11−ジヒドロキシ−10−（オキサシクロプロピルメチル）−３−（１−メチル−２−（２−メチルチアゾール−４−イル）エテニル）−８，８，１２，１６−テトラメチル−４，17−ジオキサビシクロ［14．１．０］ヘプタデカン−５，９−ジオン；
（4S, 7R(RS), 8S, 9S, 13E/Z, 16S(E)）−４，８−ジヒドロキシ−16−（２−（２−メチルチアゾール−４−イル）エテニル）−1−オキサ−５，５，９，13−テトラメチル−７−（オキサシクロプロピルメチル）−シクロヘキサデク−13−エン−２，６−ジオン；
（1S/R, 3S(E), 7S, 10R(RS), 11R, 12S, 16R/S）−７，11−ジヒドロキシ−10−（オキサシクロプロピルメチル）−３−（２−（２−メチルチアゾール−４−イル）エテニル）−８，８，１２，１６−テトラメチル−４，17−ジオキサビシクロ［14．１．０］ヘプタデカン−５，９−ジオン；
（4S, 7R(RS), 8S, 9S, 13E/Z, 16S(E)）−４，８−ジヒドロキシ−16−（１−フルオロ−２−（２−メチルチアゾール−４−イル）エテニル）−1−オキサ−５，５，９，13−テトラメチル−７−（オキサシクロプロピルメチル）−シクロヘキサデク−13−エン−２，６−ジオン；
（1S/R, 3S(E), 7S, 10R(RS), 11R, 12S, 16R/S）−７，11−ジヒドロキシ−10−（オキサシクロプロピルメチル）−３−（１−フルオロ−２−（２−メチルチアゾール−４−イル）エテニル）−８，８，１２，１６−テトラメチル−４，17−ジオキサビシクロ［14．１．０］ヘプタデカン−５，９−ジオン；
（4S, 7R(RS), 8S, 9S, 13E/Z, 16S(E)）−４，８−ジヒドロキシ−16−（１−クロロ−２−（２−メチルチアゾール−４−イル）エテニル）−1−オキサ−５，５，９，13−テトラメチル−７−（オキサシクロプロピルメチル）−シクロヘキサデク−13−エン−２，６−ジオン；
（1S/R, 3S(E), 7S, 10R(RS), 11R, 12S, 16R/S）−７，11−ジヒドロキシ−10−（オキサシクロプロピルメチル）−３−（１−クロロ−２−（２−メチルチアゾール−４−イル）エテニル）−８，８，１２，１６−テトラメチル−４，17−ジオキサビシクロ［14．１．０］ヘプタデカン−５，９−ジオン；
（4S, 7R, 8S, 9S, 13E/Z, 16S(E)）−４，８−ジヒドロキシ−16−（１−メチル−２−（２−メチルチアゾール−４−イル）エテニル）−1−オキサ−５，５，９，13−テトラメチル−７−（ブト−３−イン−１−イル）−シクロヘキサデク−13−エン−２，６−ジオン；
（1S/R, 3S(E), 7S, 10R, 11R, 12S, 16R/S）−７，11−ジヒドロキシ−10−（ブト−３−イン−１−イル）−３−（１−メチル−２−（２−メチルオキサゾール−４−イル）エテニル）−８，８，１２，１６−テトラメチル−４，17−ジオキサビシクロ［14．１．０］ヘプタデカン−５，９−ジオン；
（4S, 7R, 8S, 9S, 13E/Z, 16S(E)）−４，８−ジヒドロキシ−16−（２−（２−メチルチアゾール−４−イル）エテニル）−1−オキサ−５，５，９，13−テトラメチル−７−（ブト−３−イン−１−イル）−シクロヘキサデク−13−エン−２，６−ジオン；
（1S/R, 3S(E), 7S, 10R, 11R, 12S, 16R/S）−７，11−ジヒドロキシ−10−（ブト−３−イン−１−イル）−３−（２−（２−メチルオキサゾール−４−イル）エテニル）−８，８，１２，１６−テトラメチル−４，17−ジオキサビシクロ［14．１．０］ヘプタデカン−５，９−ジオン；
（4S, 7R, 8S, 9S, 13E/Z, 16S(E)）−４，８−ジヒドロキシ−16−（１−フルオロ−２−（２−メチルチアゾール−４−イル）エテニル）−1−オキサ−５，５，９，13−テトラメチル−７−（ブト−３−イン−１−イル）−シクロヘキサデク−13−エン−２，６−ジオン；
（1S/R, 3S(E), 7S, 10R, 11R, 12S, 16R/S）−７，11−ジヒドロキシ−10−（ブト−３−イン−１−イル）−３−（１−フルオロ−２−（２−メチルチアゾール−４−イル）エテニル）−８，８，１２，１６−テトラメチル−４，17−ジオキサビシクロ［14．１．０］ヘプタデカン−５，９−ジオン；
（4S, 7R, 8S, 9S, 13E/Z, 16S(E)）−４，８−ジヒドロキシ−16−（１−クロロ−２−（２−メチルオキサゾール−４−イル）エテニル）−1−オキサ−５，５，９，13−テトラメチル−７−（ブト−３−イン−１−イル）−シクロヘキサデク−13−エン−２，６−ジオン；
（1S/R, 3S(E), 7S, 10R, 11R, 12S, 16R/S）−７，11−ジヒドロキシ−10−（ブト−３−イン−１−イル）−３−（１−クロロ−２−（２−メチルチアゾール−４−イル）エテニル）−８，８，１２，１６−テトラメチル−４，17−ジオキサビシクロ［14．１．０］ヘプタデカン−５，９−ジオン；
（4S, 7R, 8S, 9S, 13E/Z, 16S(E)）−４，８−ジヒドロキシ−16−（１−メチル−２−（２−メチルオキサゾール−４−イル）エテニル）−1−オキサ−５，５，９，13−テトラメチル−７−（ブト−３−エン−１−イル）−シクロヘキサデク−13−エン−２，６−ジオン；
（1S/R, 3S(E), 7S, 10R, 11R, 12S, 16R/S）−７，11−ジヒドロキシ−10−（ブト−３−エン−１−イル）−３−（１−メチル−２−（２−メチルオキサゾール−４−イル）エテニル）−８，８，１２，１６−テトラメチル−４，17−ジオキサビシクロ［14．１．０］ヘプタデカン−５，９−ジオン；
（4S, 7R, 8S, 9S, 13E/Z, 16S(E)）−４，８−ジヒドロキシ−16−（２−（２−メチルオキサゾール−４−イル）エテニル）−1−オキサ−５，５，９，13−テトラメチル−７−（ブト−３−エン−１−イル）−シクロヘキサデク−13−エン−２，６−ジオン；
（1S/R, 3S(E), 7S, 10R, 11R, 12S, 16R/S）−７，11−ジヒドロキシ−10−（ブト−３−エン−１−イル）−３−（２−（２−メチルオキサゾール−４−イル）エテニル）−８，８，１２，１６−テトラメチル−４，17−ジオキサビシクロ［14．１．０］ヘプタデカン−５，９−ジオン；
（4S, 7R, 8S, 9S, 13E/Z, 16S(E)）−４，８−ジヒドロキシ−16−（１−フルオロ−２−（２−メチルオキサゾール−４−イル）エテニル）−1−オキサ−５，５，９，13−テトラメチル−７−（ブト−３−エン−１−イル）−シクロヘキサデク−13−エン−２，６−ジオン；
（1S/R, 3S(E), 7S, 10R, 11R, 12S, 16R/S）−７，11−ジヒドロキシ−10−（ブト−３−エン−１−イル）−３−（１−フルオロ−２−（２−メチルオキサゾール−４−イル）エテニル）−８，８，１２，１６−テトラメチル−４，17−ジオキサビシクロ［14．１．０］ヘプタデカン−５，９−ジオン；
（4S, 7R, 8S, 9S, 13E/Z, 16S(E)）−４，８−ジヒドロキシ−16−（１−クロロ−２−（２−メチルオキサゾール−４−イル）エテニル）−1−オキサ−５，５，９，13−テトラメチル−７−（ブト−３−エン−１−イル）−シクロヘキサデク−13−エン−２，６−ジオン；
（1S/R, 3S(E), 7S, 10R, 11R, 12S, 16R/S）−７，11−ジヒドロキシ−10−（ブト−３−エン−１−イル）−３−（１−クロロ−２−（２−メチルオキサゾール−４−イル）エテニル）−８，８，１２，１６−テトラメチル−４，17−ジオキサビシクロ［14．１．０］ヘプタデカン−５，９−ジオン；
（4S, 7R(RS), 8S, 9S, 13E/Z, 16S(E)）−４，８−ジヒドロキシ−16−（１−メチル−２−（２−メチルオキサゾール−４−イル）エテニル）−1−オキサ−５，５，９，13−テトラメチル−７−（２−オキサシクロプロピル−１−エチル）−シクロヘキサデク−13−エン−２，６−ジオン；
（1S/R, 3S(E), 7S, 10R(RS), 11R, 12S, 16R/S）−７，11−ジヒドロキシ−10−（２−オキサシクロプロピル−１−エチル）−３−（１−メチル−２−（２−メチルオキサゾール−４−イル）エテニル）−８，８，１２，１６−テトラメチル−４，17−ジオキサビシクロ［14．１．０］ヘプタデカン−５，９−ジオン；
（4S, 7R(RS), 8S, 9S, 13E/Z, 16S(E)）−４，８−ジヒドロキシ−16−（２−（２−メチルオキサゾール−４−イル）エテニル）−1−オキサ−５，５，９，13−テトラメチル−７−（２−オキサシクロプロピル−１−エチル）−シクロヘキサデク−13−エン−２，６−ジオン；
（1S/R, 3S(E), 7S, 10R(RS), 11R, 12S, 16R/S）−７，11−ジヒドロキシ−10−（２−オキサシクロプロピル−１−エチル）−３−（２−（２−メチルオキサゾール−４−イル）エテニル）−８，８，１２，１６−テトラメチル−４，17−ジオキサビシクロ［14．１．０］ヘプタデカン−５，９−ジオン；
（4S, 7R(RS), 8S, 9S, 13E/Z, 16S(E)）−４，８−ジヒドロキシ−16−（１−フルオロ−２−（２−メチルオキサゾール−４−イル）エテニル）−1−オキサ−５，５，９，13−テトラメチル−７−（２−オキサシクロプロピル−１−エチル）−シクロヘキサデク−13−エン−２，６−ジオン；
（1S/R, 3S(E), 7S, 10R(RS), 11R, 12S, 16R/S）−７，11−ジヒドロキシ−10−（２−オキサシクロプロピル−１−エチル）−３−（１−フルオロ−２−（２−メチルオキサゾール−４−イル）エテニル）−８，８，１２，１６−テトラメチル−４，17−ジオキサビシクロ［14．１．０］ヘプタデカン−５，９−ジオン；
（4S, 7R(RS), 8S, 9S, 13E/Z, 16S(E)）−４，８−ジヒドロキシ−16−（１−クロロ−２−（２−メチルオキサゾール−４−イル）エテニル）−1−オキサ−５，５，９，13−テトラメチル−７−（２−オキサシクロプロピル−１−エチル）−シクロヘキサデク−13−エン−２，６−ジオン；
（1S/R, 3S(E), 7S, 10R(RS), 11R, 12S, 16R/S）−７，11−ジヒドロキシ−10−（２−オキサシクロプロピル−１−エチル）−３−（１−クロロ−２−（２−メチルオキサゾール−４−イル）エテニル）−８，８，１２，１６−テトラメチル−４，17−ジオキサビシクロ［14．１．０］ヘプタデカン−５，９−ジオン；
（4S, 7R, 8S, 9S, 13E/Z, 16S(E)）−４，８−ジヒドロキシ−16−（１−メチル−２−（２−メチルチアゾール−４−イル）エテニル）−1−オキサ−５，５，９，13−テトラメチル−７−（プロプ−２−イン−１−イル）−シクロヘキサデク−13−エン−２，６−ジオン；
（1S/R, 3S(E), 7S, 10R, 11R, 12S, 16R/S）−７，11−ジヒドロキシ−10−（プロプ−２−イン−１−イル）−３−（１−メチル−２−（２−メチルチアゾール−４−イル）エテニル）−８，８，１２，１６−テトラメチル−４，17−ジオキサビシクロ［14．１．０］ヘプタデカン−５，９−ジオン；
（4S, 7R, 8S, 9S, 13E/Z, 16S(E)）−４，８−ジヒドロキシ−16−（２−（２−メチルチアゾール−４−イル）エテニル）−1−オキサ−５，５，９，13−テトラメチル−７−（プロプ−２−イン−１−イル）−シクロヘキサデク−13−エン−２，６−ジオン；
（1S/R, 3S(E), 7S, 10R, 11R, 12S, 16R/S）−７，11−ジヒドロキシ−10−（プロプ−２−イン−１−イル）−３−（２−（２−メチルオキサゾール−４−イル）エテニル）−８，８，１２，１６−テトラメチル−４，17−ジオキサビシクロ［14．１．０］ヘプタデカン−５，９−ジオン；
（4S, 7R, 8S, 9S, 13E/Z, 16S(E)）−４，８−ジヒドロキシ−16−（１−フルオロ−２−（２−メチルオキサゾール−４−イル）エテニル）−1−オキサ−５，５，９，13−テトラメチル−７−（プロプ−２−イン−１−イル）−シクロヘキサデク−13−エン−２，６−ジオン；
（1S/R, 3S(E), 7S, 10R, 11R, 12S, 16R/S）−７，11−ジヒドロキシ−10−（プロプ−２−イン−１−イル）−３−（１−フルオロ−２−（２−メチルオキサゾール−４−イル）エテニル）−８，８，１２，１６−テトラメチル−４，17−ジオキサビシクロ［14．１．０］ヘプタデカン−５，９−ジオン；
（4S, 7R, 8S, 9S, 13E/Z, 16S(E)）−４，８−ジヒドロキシ−16−（１−クロロ−２−（２−メチルオキサゾール−４−イル）エテニル）−1−オキサ−５，５，９，13−テトラメチル−７−（プロプ−２−イン−１−イル）−シクロヘキサデク−13−エン−２，６−ジオン；
（1S/R, 3S(E), 7S, 10R, 11R, 12S, 16R/S）−７，11−ジヒドロキシ−10−（プロプ−２−イン−１−イル）−３−（１−クロロ−２−（２−メチルオキサゾール−４−イル）エテニル）−８，８，１２，１６−テトラメチル−４，17−ジオキサビシクロ［14．１．０］ヘプタデカン−５，９−ジオン；
（4S, 7R, 8S, 9S, 13E/Z, 16S(E)）−４，８−ジヒドロキシ−16−（１−メチル−２−（２−メチルチアゾール−４−イル）エテニル）−1−オキサ−５，５，９，13−テトラメチル−７−（プロプ−２−エン−１−イル）−シクロヘキサデク−13−エン−２，６−ジオン；
（1S/R, 3S(E), 7S, 10R, 11R, 12S, 16R/S）−７，11−ジヒドロキシ−10−（プロプ−２−エン−１−イル）−３−（１−メチル−２−（２−メチルオキサゾール−４−イル）エテニル）−８，８，１２，１６−テトラメチル−４，17−ジオキサビシクロ［14．１．０］ヘプタデカン−５，９−ジオン；
（4S, 7R, 8S, 9S, 13E/Z, 16S(E)）−４，８−ジヒドロキシ−16−（２−（２−メチルオキサゾール−４−イル）エテニル）−1−オキサ−５，５，９，13−テトラメチル−７−（プロプ−２−エン−１−イル）−シクロヘキサデク−13−エン−２，６−ジオン；
（1S/R, 3S(E), 7S, 10R, 11R, 12S, 16R/S）−７，11−ジヒドロキシ−10−（プロプ−２−エン−１−イル）−３−（２−（２−メチルオキサゾール−４−イル）エテニル）−８，８，１２，１６−テトラメチル−４，17−ジオキサビシクロ［14．１．０］ヘプタデカン−５，９−ジオン；
（4S, 7R, 8S, 9S, 13E/Z, 16S(E)）−４，８−ジヒドロキシ−16−（１−フルオロ−２−（２−メチルオキサゾール−４−イル）エテニル）−1−オキサ−５，５，９，13−テトラメチル−７−（プロプ−２−エン−１−イル）−シクロヘキサデク−13−エン−２，６−ジオン；
（1S/R, 3S(E), 7S, 10R, 11R, 12S, 16R/S）−７，11−ジヒドロキシ−10−（プロプ−２−エン−１−イル）−３−（１−フルオロ−２−（２−メチルオキサゾール−４−イル）エテニル）−８，８，１２，１６−テトラメチル−４，17−ジオキサビシクロ［14．１．０］ヘプタデカン−５，９−ジオン；
（4S, 7R, 8S, 9S, 13E/Z, 16S(E)）−４，８−ジヒドロキシ−16−（１−クロロ−２−（２−メチルオキサゾール−４−イル）エテニル）−1−オキサ−５，５，９，13−テトラメチル−７−（プロプ−２−エン−１−イル）−シクロヘキサデク−13−エン−２，６−ジオン；
（1S/R, 3S(E), 7S, 10R, 11R, 12S, 16R/S）−７，11−ジヒドロキシ−10−（プロプ−２−エン−１−イル）−３−（１−クロロ−２−（２−メチルオキサゾール−４−イル）エテニル）−８，８，１２，１６−テトラメチル−４，17−ジオキサビシクロ［14．１．０］ヘプタデカン−５，９−ジオン；
（4S, 7R(RS), 8S, 9S, 13E/Z, 16S(E)）−４，８−ジヒドロキシ−16−（１−メチル−２−（２−メチルオキサゾール−４−イル）エテニル）−1−オキサ−５，５，９，13−テトラメチル−７−（オキサシクロプロピルメチル）−シクロヘキサデク−13−エン−２，６−ジオン；
（1S/R, 3S(E), 7S, 10R(RS), 11R, 12S, 16R/S）−７，11−ジヒドロキシ−10−（オキサシクロプロピルメチル）−３−（１−メチル−２−（２−メチルオキサゾール−４−イル）エテニル）−８，８，１２，１６−テトラメチル−４，17−ジオキサビシクロ［14．１．０］ヘプタデカン−５，９−ジオン；
（4S, 7R(RS), 8S, 9S, 13E/Z, 16S(E)）−４，８−ジヒドロキシ−16−（２−（２−メチルオキサゾール−４−イル）エテニル）−1−オキサ−５，５，９，13−テトラメチル−７−（オキサシクロプロピルメチル）−シクロヘキサデク−13−エン−２，６−ジオン；
（1S/R, 3S(E), 7S, 10R(RS), 11R, 12S, 16R/S）−７，11−ジヒドロキシ−10−（オキサシクロプロピルメチル）−３−（２−（２−メチルオキサゾール−４−イル）エテニル）−８，８，１２，１６−テトラメチル−４，17−ジオキサビシクロ［14．１．０］ヘプタデカン−５，９−ジオン；
（4S, 7R(RS), 8S, 9S, 13E/Z, 16S(E)）−４，８−ジヒドロキシ−16−（１−フルオロ−２−（２−メチルオキサゾール−４−イル）エテニル）−1−オキサ−５，５，９，13−テトラメチル−７−（オキサシクロプロピルメチル）−シクロヘキサデク−13−エン−２，６−ジオン；
（1S/R, 3S(E), 7S, 10R(RS), 11R, 12S, 16R/S）−７，11−ジヒドロキシ−10−（オキサシクロプロピルメチル）−３−（１−フルオロ−２−（２−メチルオキサゾール−４−イル）エテニル）−８，８，１２，１６−テトラメチル−４，17−ジオキサビシクロ［14．１．０］ヘプタデカン−５，９−ジオン；
（4S, 7R(RS), 8S, 9S, 13E/Z, 16S(E)）−４，８−ジヒドロキシ−16−（１−クロロ−２−（２−メチルオキサゾール−４−イル）エテニル）−1−オキサ−５，５，９，13−テトラメチル−７−（オキサシクロプロピルメチル）−シクロヘキサデク−13−エン−２，６−ジオン；
（1S/R, 3S(E), 7S, 10R(RS), 11R, 12S, 16R/S）−７，11−ジヒドロキシ−10−（オキサシクロプロピルメチル）−３−（１−クロロ−２−（２−メチルオキサゾール−４−イル）エテニル）−８，８，１２，１６−テトラメチル−４，17−ジオキサビシクロ［14．１．０］ヘプタデカン−５，９−ジオン；
（4S, 7R, 8S, 9S, 13E/Z, 16S(E)）−４，８−ジヒドロキシ−16−（１−メチル−２−（２−ピリジル）エテニル）−1−オキサ−５，５−トリメチレン−９，13−ジメチル−７−（ブト−３−イン−１−イル）−シクロヘキサデク−13−エン−２，６−ジオン；
（1S/R, 3S(E), 7S, 10R, 11R, 12S, 16R/S）−７，11−ジヒドロキシ−10−（ブト−３−イン−１−イル）−３−（１−メチル−２−（２−ピリジル）エテニル）−８，８−トリメチレン−１２，１６−ジメチル−４，17−ジオキサビシクロ［14．１．０］ヘプタデカン−５，９−ジオン；
（4S, 7R, 8S, 9S, 13E/Z, 16S(E)）−４，８−ジヒドロキシ−16−（１−フルオロ−２−（２−ピリジル）エテニル）−1−オキサ−５，５−トリメチレン−９，13−ジメチル−７−（プロプ−２−イン−１−イル）−シクロヘキサデク−13−エン−２，６−ジオン；
（1S/R, 3S(E), 7S, 10R, 11R, 12S, 16R/S）−７，11−ジヒドロキシ−10−（プロプ−２−イン−１−イル）−３−（１−フルオロ−２−（２−ピリジル）エテニル）−８，８−トリメチレン−１２，１６−ジメチル−４，17−ジオキサビシクロ［14．１．０］ヘプタデカン−５，９−ジオン；
（4S, 7R, 8S, 9S, 13E/Z, 16S(E)）−４，８−ジヒドロキシ−16−（１−フルオロ−２−（２−ピリジル）エテニル）−1−オキサ−５，５−トリメチレン−９，13−ジメチル−７−（プロプ−２−エン−１−イル）−シクロヘキサデク−13−エン−２，６−ジオン；
（1S/R, 3S(E), 7S, 10R, 11R, 12S, 16R/S）−７，11−ジヒドロキシ−10−（プロプ−２−エン−１−イル）−３−（１−フルオロ−２−（２−ピリジル）エテニル）−８，８−トリメチレン−１２，１６−ジメチル−４，17−ジオキサビシクロ［14．１．０］ヘプタデカン−５，９−ジオン；
（4S, 7R(RS), 8S, 9S, 13E/Z, 16S(E)）−４，８−ジヒドロキシ−16−（１−フルオロ−２−（２−ピリジル）エテニル）−1−オキサ−５，５−トリメチレン−９，13−ジメチル−７−（オキサシクロプロピルメチル）−シクロヘキサデク−13−エン−２，６−ジオン；
（1S/R, 3S(E), 7S, 10R(RS), 11R, 12S, 16R/S）−７，11−ジヒドロキシ−10−（オキサシクロプロピルメチル）−３−（１−フルオロ−２−（２−ピリジル）エテニル）−８，８−トリメチレン−１２，１６−ジメチル−４，17−ジオキサビシクロ［14．１．０］ヘプタデカン−５，９−ジオン；
（4S, 7R, 8S, 9S, 13E/Z, 16S(E)）−４，８−ジヒドロキシ−16−（１−メチル−２−（２−メチルチアゾール−４−イル）エテニル）−1−オキサ−５，５−トリメチレン−９，13−ジメチル−７−（プロプ−２−イン−１−イル）−シクロヘキサデク−13−エン−２，６−ジオン；
（1S/R, 3S(E), 7S, 10R, 11R, 12S, 16R/S）−７，11−ジヒドロキシ−10−（プロプ−２−イン−１−イル）−３−（１−メチル−２−（２−メチルチアゾール−４−イル）エテニル）−８，８−トリメチレン−１２，１６−ジメチル−４，17−ジオキサビシクロ［14．１．０］ヘプタデカン−５，９−ジオン；
（4S, 7R, 8S, 9S, 13E/Z, 16S(E)）−４，８−ジヒドロキシ−16−（１−フルオロ−２−（２−メチルチアゾール−４−イル）エテニル）−1−オキサ−５，５−トリメチレン−９，13−ジメチル−７−（プロプ−２−イン−１−イル）−シクロヘキサデク−13−エン−２，６−ジオン；
（1S/R, 3S(E), 7S, 10R, 11R, 12S, 16R/S）−７，11−ジヒドロキシ−10−（プロプ−２−イン−１−イル）−３−（１−フルオロ−２−（２−メチルチアゾール−４−イル）エテニル）−８，８−トリメチレン−１２，１６−ジメチル−４，17−ジオキサビシクロ［14．１．０］ヘプタデカン−５，９−ジオン；
（4S, 7R, 8S, 9S, 13E/Z, 16S(E)）−４，８−ジヒドロキシ−16−（２−（２−メチルチアゾール−４−イル）エテニル）−1−オキサ−５，５−トリメチレン−９，13−ジメチル−７−（プロプ−２−エン−１−イル）−シクロヘキサデク−13−エン−２，６−ジオン；
（1S/R, 3S(E), 7S, 10R, 11R, 12S, 16R/S）−７，11−ジヒドロキシ−10−（プロプ−２−エン−１−イル）−３−（２−（２−メチルチアゾール−４−イル）エテニル）−８，８−トリメチレン−１２，１６−ジメチル−４，17−ジオキサビシクロ［14．１．０］ヘプタデカン−５，９−ジオン；
（4S, 7R(RS), 8S, 9S, 13E/Z, 16S(E)）−４，８−ジヒドロキシ−16−（１−フルオロ−２−（２−メチルチアゾール−４−イル）エテニル）−1−オキサ−５，５−トリメチレン−９，13−ジメチル−７−（オキサシクロプロピルメチル）−シクロヘキサデク−13−エン−２，６−ジオン；
（1S/R, 3S(E), 7S, 10R(RS), 11R, 12S, 16R/S）−７，11−ジヒドロキシ−10−（オキサシクロプロピルメチル）−３−（１−フルオロ−２−（２−メチルチアゾール−４−イル）エテニル）−８，８−トリメチレン−１２，１６−ジメチル−４，17−ジオキサビシクロ［14．１．０］ヘプタデカン−５，９−ジオン；
（4S, 7R, 8S, 9S, 13E/Z, 16S(E)）−４，８−ジヒドロキシ−16−（２−（２−メチルオキサゾール−４−イル）エテニル）−1−オキサ−５，５−トリメチレン−９，13−ジメチル−７−（プロプ−２−イン−１−イル）−シクロヘキサデク−13−エン−２，６−ジオン；
（1S/R, 3S(E), 7S, 10R, 11R, 12S, 16R/S）−７，11−ジヒドロキシ−10−（プロプ−２−イン−１−イル）−３−（２−（２−メチルオキサゾール−４−イル）エテニル）−８，８−トリメチレン−１２，１６−ジメチル−４，17−ジオキサビシクロ［14．１．０］ヘプタデカン−５，９−ジオン；
（4S, 7R, 8S, 9S, 13E/Z, 16S(E)）−４，８−ジヒドロキシ−16−（１−フルオロ−２−（２−メチルオキサゾール−４−イル）エテニル）−1−オキサ−５，５−トリメチレン−９，13−ジメチル−７−（プロプ−２−イン−１−イル）−シクロヘキサデク−13−エン−２，６−ジオン；
（1S/R, 3S(E), 7S, 10R, 11R, 12S, 16R/S）−７，11−ジヒドロキシ−10−（プロプ−２−イン−１−イル）−３−（１−フルオロ−２−（２−メチルオキサゾール−４−イル）エテニル）−８，８−トリメチレン−１２，１６−ジメチル−４，17−ジオキサビシクロ［14．１．０］ヘプタデカン−５，９−ジオン；
（4S, 7R, 8S, 9S, 13E/Z, 16S(E)）−４，８−ジヒドロキシ−16−（１−メチル−２−（２−メチルオキサゾール−４−イル）エテニル）−1−オキサ−５，５−トリメチレン−９，13−ジメチル−７−（プロプ−２−エン−１−イル）−シクロヘキサデク−13−エン−２，６−ジオン；
（1S/R, 3S(E), 7S, 10R, 11R, 12S, 16R/S）−７，11−ジヒドロキシ−10−（プロプ−２−エン−１−イル）−３−（１−メチル−２−（２−メチルオキサゾール−４−イル）エテニル）−８，８−トリメチレン−１２，１６−ジメチル−４，17−ジオキサビシクロ［14．１．０］ヘプタデカン−５，９−ジオン；
（4S, 7R, 8S, 9S, 13E/Z, 16S(E)）−４，８−ジヒドロキシ−16−（１−フルオロ−２−（２−メチルオキサゾール−４−イル）エテニル）−1−オキサ−５，５−トリメチレン−９，13−ジメチル−７−（プロプ−２−エン−１−イル）−シクロヘキサデク−13−エン−２，６−ジオン；
（1S/R, 3S(E), 7S, 10R, 11R, 12S, 16R/S）−７，11−ジヒドロキシ−10−（プロプ−２−エン−１−イル）−３−（１−フルオロ−２−（２−メチルオキサゾール−４−イル）エテニル）−８，８−トリメチレン−１２，１６−ジメチル−４，17−ジオキサビシクロ［14．１．０］ヘプタデカン−５，９−ジオン；
（4S, 7R(RS), 8S, 9S, 13E/Z, 16S(E)）−４，８−ジヒドロキシ−16−（２−（２−メチルオキサゾール−４−イル）エテニル）−1−オキサ−５，５−トリメチレン−９，13−ジメチル−７−（オキサシクロプロピルメチル）−シクロヘキサデク−13−エン−２，６−ジオン；
（1S/R, 3S(E), 7S, 10R(RS), 11R, 12S, 16R/S）−７，11−ジヒドロキシ−10−（オキサシクロプロピルメチル）−３−（２−（２−メチルオキサゾール−４−イル）エテニル）−８，８−トリメチレン−１２，１６−ジメチル−４，17−ジオキサビシクロ［14．１．０］ヘプタデカン−５，９−ジオン；
（4S, 7R(RS), 8S, 9S, 13E/Z, 16S(E)）−４，８−ジヒドロキシ−16−（１−クロロ−２−（２−メチルオキサゾール−４−イル）エテニル）−1−オキサ−５，５−トリメチレン−９，13−ジメチル−７−（オキサシクロプロピルメチル）−シクロヘキサデク−13−エン−２，６−ジオン；
（1S/R, 3S(E), 7S, 10R(RS), 11R, 12S, 16R/S）−７，11−ジヒドロキシ−10−（オキサシクロプロピルメチル）−３−（１−クロロ−２−（２−メチルオキサゾール−４−イル）エテニル）−８，８−トリメチレン−１２，１６−ジメチル−４，17−ジオキサビシクロ［14．１．０］ヘプタデカン−５，９−ジオン；
（4S, 7R, 8S, 9S, 13E/Z, 16S(E)）−４，８−ジヒドロキシ−16−（２−メチル−ベンゾキサゾール−５−イル）−1−オキサ−５，５, ９，13−テトラメチル−７−（プロプ−２−エン−１−イル）−シクロヘキサデク−13−エン−２，６−ジオン；
（1S/R, 3S(E), 7S, 10R, 11R, 12S, 16R/S）−７，11−ジヒドロキシ−10−（プロプ−２−エン−１−イル）−３−（１−メチル−２−（２−メチル−ベンゾキサゾール−５−イル）−８，８, １２，１６−テトラメチル−４，17−ジオキサビシクロ［14．１．０］ヘプタデカン−５，９−ジオン；
（4S, 7R, 8S, 9S, 13E/Z, 16S(E)）−４，８−ジヒドロキシ−16−（２−メチル−ベンゾキサゾール−５−イル）−1−オキサ−５，５, ９，13−テトラメチル−７−（プロプ−２−イン−１−イル）−シクロヘキサデク−13−エン−２，６−ジオン；
（1S/R, 3S(E), 7S, 10R, 11R, 12S, 16R/S）−７，11−ジヒドロキシ−10−（プロプ−２−イン−１−イル）−３−（１−メチル−２−（２−メチル−ベンゾキサゾール−５−イル）−８，８, １２，１６−テトラメチル−４，17−ジオキサビシクロ［14．１．０］ヘプタデカン−５，９−ジオン；
（4S, 7R, 8S, 9S, 13E/Z, 16S(E)）−４，８−ジヒドロキシ−16−（２−メチル−ベンゾキサゾール−５−イル）−1−オキサ−５，５, ９，13−テトラメチル−７−（ブト−３−エン−１−イル）−シクロヘキサデク−13−エン−２，６−ジオン；
（1S/R, 3S(E), 7S, 10R, 11R, 12S, 16R/S）−７，11−ジヒドロキシ−10−（ブト−３−エン−１−イル）−３−（１−メチル−２−（２−メチル−ベンゾキサゾール−５−イル）−８，８, １２，１６−テトラメチル−４，17−ジオキサビシクロ［14．１．０］ヘプタデカン−５，９−ジオン；
（4S, 7R, 8S, 9S, 13E/Z, 16S(E)）−４，８−ジヒドロキシ−16−（２−メチル−ベンゾキサゾール−５−イル）−1−オキサ−５，５, ９，13−テトラメチル−７−（ブト−３−イン−１−イル）−シクロヘキサデク−13−エン−２，６−ジオン；
（1S/R, 3S(E), 7S, 10R, 11R, 12S, 16R/S）−７，11−ジヒドロキシ−10−（ブト−３−イン−１−イル）−３−（１−メチル−２−（２−メチル−ベンゾキサゾール−５−イル）−８，８, １２，１６−テトラメチル−４，17−ジオキサビシクロ［14．１．０］ヘプタデカン−５，９−ジオン；
（4S, 7R, 8S, 9S, 13E/Z, 16S(E)）−４，８−ジヒドロキシ−16−（２−メチル−ベンゾキサゾール−５−イル）−1−オキサ−５，５, ９，13−テトラメチル−７−（３−メチル−ブト−２−エン−１−イル）−シクロヘキサデク−13−エン−２，６−ジオン；
（1S/R, 3S(E), 7S, 10R, 11R, 12S, 16R/S）−７，11−ジヒドロキシ−10−（３−メチル−ブト−２−エン−１−イル）−３−（１−メチル−２−（２−メチル−ベンゾキサゾール−５−イル）−８，８, １２，１６−テトラメチル−４，17−ジオキサビシクロ［14．１．０］ヘプタデカン−５，９−ジオン；
（4S, 7R, 8S, 9S, 13E/Z, 16S(E)）−４，８−ジヒドロキシ−16−（２−メチル−ベンゾチアゾール−５−イル）−1−オキサ−５，５, ９，13−テトラメチル−７−（プロプ−２−エン−１−イル）−シクロヘキサデク−13−エン−２，６−ジオン；
（1S/R, 3S(E), 7S, 10R, 11R, 12S, 16R/S）−７，11−ジヒドロキシ−10−（プロプ−２−エン−１−イル）−３−（１−メチル−２−（２−メチル−ベンゾチアゾール−５−イル）−８，８, １２，１６−テトラメチル−４，17−ジオキサビシクロ［14．１．０］ヘプタデカン−５，９−ジオン；
（4S, 7R, 8S, 9S, 13E/Z, 16S(E)）−４，８−ジヒドロキシ−16−（２−メチル−ベンゾチアゾール−５−イル）−1−オキサ−５，５, ９，13−テトラメチル−７−（プロプ−２−イン−１−イル）−シクロヘキサデク−13−エン−２，６−ジオン；
（1S/R, 3S(E), 7S, 10R, 11R, 12S, 16R/S）−７，11−ジヒドロキシ−10−（プロプ−２−イン−１−イル）−３−（１−メチル−２−（２−メチル−ベンゾチアゾール−５−イル）−８，８, １２，１６−テトラメチル−４，17−ジオキサビシクロ［14．１．０］ヘプタデカン−５，９−ジオン；
（4S, 7R, 8S, 9S, 13E/Z, 16S(E)）−４，８−ジヒドロキシ−16−（２−メチル−ベンゾチアゾール−５−イル）−1−オキサ−５，５, ９，13−テトラメチル−７−（ブト−３−エン−１−イル）−シクロヘキサデク−13−エン−２，６−ジオン；
（1S/R, 3S(E), 7S, 10R, 11R, 12S, 16R/S）−７，11−ジヒドロキシ−10−（ブト−３−エン−１−イル）−３−（１−メチル−２−（２−メチル−ベンゾチアゾール−５−イル）−８，８, １２，１６−テトラメチル−４，17−ジオキサビシクロ［14．１．０］ヘプタデカン−５，９−ジオン；
（4S, 7R, 8S, 9S, 13E/Z, 16S(E)）−４，８−ジヒドロキシ−16−（２−メチル−ベンゾチアゾール−５−イル）−1−オキサ−５，５, ９，13−テトラメチル−７−（ブト−３−イン−１−イル）−シクロヘキサデク−13−エン−２，６−ジオン；
（1S/R, 3S(E), 7S, 10R, 11R, 12S, 16R/S）−７，11−ジヒドロキシ−10−（ブト−３−イン−１−イル）−３−（１−メチル−２−（２−メチル−ベンゾチアゾール−５−イル）−８，８, １２，１６−テトラメチル−４，17−ジオキサビシクロ［14．１．０］ヘプタデカン−５，９−ジオン；
（4S, 7R, 8S, 9S, 13E/Z, 16S(E)）−４，８−ジヒドロキシ−16−（２−メチル−ベンゾチアゾール−５−イル）−1−オキサ−５，５, ９，13−テトラメチル−７−（３−メチル−ブト−２−エン−１−イル）−シクロヘキサデク−13−エン−２，６−ジオン；
（1S/R, 3S(E), 7S, 10R, 11R, 12S, 16R/S）−７，11−ジヒドロキシ−10−（３−メチル−ブト−２−エン−１−イル）−３−（１−メチル−２−（２−メチル−ベンゾチアゾール−５−イル）−８，８, １２，１６−テトラメチル−４，17−ジオキサビシクロ［14．１．０］ヘプタデカン−５，９−ジオン；
（4S, 7R, 8S, 9S, 13E/Z, 16S(E)）−４，８−ジヒドロキシ−16−（キノリン−２−イル）−1−オキサ−５，５, ９，13−テトラメチル−７−（プロプ−２−エン−１−イル）−シクロヘキサデク−13−エン−２，６−ジオン；
（1S/R, 3S(E), 7S, 10R, 11R, 12S, 16R/S）−７，11−ジヒドロキシ−10−（プロプ−２−エン−１−イル）−３−（１−メチル−２−（キノリン−２−イル）−８，８, １２，１６−テトラメチル−４，17−ジオキサビシクロ［14．１．０］ヘプタデカン−５，９−ジオン；
（4S, 7R, 8S, 9S, 13E/Z, 16S(E)）−４，８−ジヒドロキシ−16−（キノリン−２−イル）−1−オキサ−５，５, ９，13−テトラメチル−７−（プロプ−２−イン−１−イル）−シクロヘキサデク−13−エン−２，６−ジオン；
（1S/R, 3S(E), 7S, 10R, 11R, 12S, 16R/S）−７，11−ジヒドロキシ−10−（プロプ−２−イン−１−イル）−３−（１−メチル−２−（キノリン−２−イル）−８，８, １２，１６−テトラメチル−４，17−ジオキサビシクロ［14．１．０］ヘプタデカン−５，９−ジオン；
（4S, 7R, 8S, 9S, 13E/Z, 16S(E)）−４，８−ジヒドロキシ−16−（キノリン−２−イル）−1−オキサ−５，５, ９，13−テトラメチル−７−（ブト−３−エン−１−イル）−シクロヘキサデク−13−エン−２，６−ジオン；
（1S/R, 3S(E), 7S, 10R, 11R, 12S, 16R/S）−７，11−ジヒドロキシ−10−（ブト−３−エン−１−イル）−３−（１−メチル−２−（キノリン−２−イル）−８，８, １２，１６−テトラメチル−４，17−ジオキサビシクロ［14．１．０］ヘプタデカン−５，９−ジオン；
（4S, 7R, 8S, 9S, 13E/Z, 16S(E)）−４，８−ジヒドロキシ−16−（キノリン−２−イル）−1−オキサ−５，５, ９，13−テトラメチル−７−（ブト−３−イン−１−イル）−シクロヘキサデク−13−エン−２，６−ジオン；
（1S/R, 3S(E), 7S, 10R, 11R, 12S, 16R/S）−７，11−ジヒドロキシ−10−（ブト−３−イン−１−イル）−３−（１−メチル−２−（キノリン−２−イル）−８，８, １２，１６−テトラメチル−４，17−ジオキサビシクロ［14．１．０］ヘプタデカン−５，９−ジオン；
（4S, 7R, 8S, 9S, 13E/Z, 16S(E)）−４，８−ジヒドロキシ−16−（キノリン−２−イル）−1−オキサ−５，５, ９，13−テトラメチル−７−（３−メチル−ブト−２−エン−１−イル）−シクロヘキサデク−13−エン−２，６−ジオン；
（1S/R, 3S(E), 7S, 10R, 11R, 12S, 16R/S）−７，11−ジヒドロキシ−10−（３−メチル−ブト−２−エン−１−イル）−３−（１−メチル−２−（キノリン−２−イル）−８，８, １２，１６−テトラメチル−４，17−ジオキサビシクロ［14．１．０］ヘプタデカン−５，９−ジオン；
（4S, 7R, 8S, 9S, 13E/Z, 16S(E)）−４，８−ジヒドロキシ−16−（２−メチル−ベンゾキサゾール−５−イル）−1−アザ−５，５, ９，13−テトラメチル−７−（プロプ−２−エン−１−イル）−シクロヘキサデク−13−エン−２，６−ジオン；
（1S/R, 3S(E), 7S, 10R, 11R, 12S, 16R/S）−７，11−ジヒドロキシ−10−（プロプ−２−エン−１−イル）−３−（１−メチル−２−（２−メチル−ベンゾキサゾール−５−イル）−８，８, １２，１６−テトラメチル−４−アザ−17−オキサビシクロ［14．１．０］ヘプタデカン−５，９−ジオン；
（4S, 7R, 8S, 9S, 13E/Z, 16S(E)）−４，８−ジヒドロキシ−16−（２−メチル−ベンゾキサゾール−５−イル）−1−アザ−５，５, ９，13−テトラメチル−７−（プロプ−２−イン−１−イル）−シクロヘキサデク−13−エン−２，６−ジオン；
（1S/R, 3S(E), 7S, 10R, 11R, 12S, 16R/S）−７，11−ジヒドロキシ−10−（プロプ−２−イン−１−イル）−３−（１−メチル−２−（２−メチル−ベンゾキサゾール−５−イル）−８，８, １２，１６−テトラメチル−４−アザ−17−オキサビシクロ［14．１．０］ヘプタデカン−５，９−ジオン；
（4S, 7R, 8S, 9S, 13E/Z, 16S(E)）−４，８−ジヒドロキシ−16−（２−メチル−ベンゾキサゾール−５−イル）−1−アザ−５，５, ９，13−テトラメチル−７−（ブト−３−エン−１−イル）−シクロヘキサデク−13−エン−２，６−ジオン；
（1S/R, 3S(E), 7S, 10R, 11R, 12S, 16R/S）−７，11−ジヒドロキシ−10−（ブト−２−エン−１−イル）−３−（１−メチル−２−（２−メチル−ベンゾキサゾール−５−イル）−８，８, １２，１６−テトラメチル−４−アザ−17−オキサビシクロ［14．１．０］ヘプタデカン−５，９−ジオン；
（4S, 7R, 8S, 9S, 13E/Z, 16S(E)）−４，８−ジヒドロキシ−16−（２−メチル−ベンゾキサゾール−５−イル）−1−アザ−５，５, ９，13−テトラメチル−７−（ブト−３−イン−１−イル）−シクロヘキサデク−13−エン−２，６−ジオン；
（1S/R, 3S(E), 7S, 10R, 11R, 12S, 16R/S）−７，11−ジヒドロキシ−10−（ブト−３−イン−１−イル）−３−（１−メチル−２−（２−メチル−ベンゾキサゾール−５−イル）−８，８, １２，１６−テトラメチル−４−アザ−17−オキサビシクロ［14．１．０］ヘプタデカン−５，９−ジオン；
（4S, 7R, 8S, 9S, 13E/Z, 16S(E)）−４，８−ジヒドロキシ−16−（２−メチル−ベンゾキサゾール−５−イル）−1−アザ−５，５, ９，13−テトラメチル−７−（３−メチル−ブト−２−エン−１−イル）−シクロヘキサデク−13−エン−２，６−ジオン；
（1S/R, 3S(E), 7S, 10R, 11R, 12S, 16R/S）−７，11−ジヒドロキシ−10−（３−メチル−ブト−２−エン−１−イル）−３−（１−メチル−２−（２−メチル−ベンゾキサゾール−５−イル）−８，８, １２，１６−テトラメチル−４−アザ−17−オキサビシクロ［14．１．０］ヘプタデカン−５，９−ジオン；
（4S, 7R, 8S, 9S, 13E/Z, 16S(E)）−４，８−ジヒドロキシ−16−（２−メチル−ベンゾチアゾール−５−イル）−1−アザ−５，５, ９，13−テトラメチル−７−（プロプ−２−エン−１−イル）−シクロヘキサデク−13−エン−２，６−ジオン；
（1S/R, 3S(E), 7S, 10R, 11R, 12S, 16R/S）−７，11−ジヒドロキシ−10−（プロプ−２−エン−１−イル）−３−（１−メチル−２−（２−メチル−ベンゾチアゾール−５−イル）−８，８, １２，１６−テトラメチル−４−アザ−17−オキサビシクロ［14．１．０］ヘプタデカン−５，９−ジオン；
（4S, 7R, 8S, 9S, 13E/Z, 16S(E)）−４，８−ジヒドロキシ−16−（２−メチル−ベンゾチアゾール−５−イル）−1−アザ−５，５, ９，13−テトラメチル−７−（プロプ−２−イン−１−イル）−シクロヘキサデク−13−エン−２，６−ジオン；
（1S/R, 3S(E), 7S, 10R, 11R, 12S, 16R/S）−７，11−ジヒドロキシ−10−（プロプ−２−イン−１−イル）−３−（１−メチル−２−（２−メチル−ベンゾチアゾール−５−イル）−８，８, １２，１６−テトラメチル−４−アザ−17−オキサビシクロ［14．１．０］ヘプタデカン−５，９−ジオン；
（4S, 7R, 8S, 9S, 13E/Z, 16S(E)）−４，８−ジヒドロキシ−16−（２−メチル−ベンゾチアゾール−５−イル）−1−アザ−５，５, ９，13−テトラメチル−７−（ブト−３−エン−１−イル）−シクロヘキサデク−13−エン−２，６−ジオン；
（1S/R, 3S(E), 7S, 10R, 11R, 12S, 16R/S）−７，11−ジヒドロキシ−10−（ブト−３−エン−１−イル）−３−（１−メチル−２−（２−メチル−ベンゾチアゾール−５−イル）−８，８, １２，１６−テトラメチル−４−アザ−17−オキサビシクロ［14．１．０］ヘプタデカン−５，９−ジオン；
（4S, 7R, 8S, 9S, 13E/Z, 16S(E)）−４，８−ジヒドロキシ−16−（２−メチル−ベンゾチアゾール−５−イル）−1−アザ−５，５, ９，13−テトラメチル−７−（ブト−３−イン−１−イル）−シクロヘキサデク−13−エン−２，６−ジオン；
（1S/R, 3S(E), 7S, 10R, 11R, 12S, 16R/S）−７，11−ジヒドロキシ−10−（ブト−３−イン−１−イル）−３−（１−メチル−２−（２−メチル−ベンゾチアゾール−５−イル）−８，８, １２，１６−テトラメチル−４−アザ−17−オキサビシクロ［14．１．０］ヘプタデカン−５，９−ジオン；
（4S, 7R, 8S, 9S, 13E/Z, 16S(E)）−４，８−ジヒドロキシ−16−（２−メチル−ベンゾチアゾール−５−イル）−1−アザ−５，５, ９，13−テトラメチル−７−（３−メチル−ブト−２−エン−１−イル）−シクロヘキサデク−13−エン−２，６−ジオン；
（1S/R, 3S(E), 7S, 10R, 11R, 12S, 16R/S）−７，11−ジヒドロキシ−10−（３−メチル−ブト−２−エン−１−イル）−３−（１−メチル−２−（２−メチル−ベンゾチアゾール−５−イル）−８，８, １２，１６−テトラメチル−４−アザ−17−オキサビシクロ［14．１．０］ヘプタデカン−５，９−ジオン；
（4S, 7R, 8S, 9S, 13E/Z, 16S(E)）−４，８−ジヒドロキシ−16−（キノリン−２−イル）−1−アザ−５，５, ９，13−テトラメチル−７−（プロプ−２−エン−１−イル）−シクロヘキサデク−13−エン−２，６−ジオン；
（1S/R, 3S(E), 7S, 10R, 11R, 12S, 16R/S）−７，11−ジヒドロキシ−10−（プロプ−２−エン−１−イル）−３−（１−メチル−２−（キノリン−２−イル）−８，８, １２，１６−テトラメチル−４−アザ−17−オキサビシクロ［14．１．０］ヘプタデカン−５，９−ジオン；
（4S, 7R, 8S, 9S, 13E/Z, 16S(E)）−４，８−ジヒドロキシ−16−（キノリン−２−イル）−1−アザ−５，５, ９，13−テトラメチル−７−（プロプ−２−イン−１−イル）−シクロヘキサデク−13−エン−２，６−ジオン；
（1S/R, 3S(E), 7S, 10R, 11R, 12S, 16R/S）−７，11−ジヒドロキシ−10−（プロプ−２−イン−１−イル）−３−（１−メチル−２−（キノリン−２−イル）−８，８, １２，１６−テトラメチル−４−アザ−17−オキサビシクロ［14．１．０］ヘプタデカン−５，９−ジオン；
（4S, 7R, 8S, 9S, 13E/Z, 16S(E)）−４，８−ジヒドロキシ−16−（キノリン−２−イル）−1−アザ−５，５, ９，13−テトラメチル−７−（ブト−３−エン−１−イル）−シクロヘキサデク−13−エン−２，６−ジオン；
（1S/R, 3S(E), 7S, 10R, 11R, 12S, 16R/S）−７，11−ジヒドロキシ−10−（ブト−３−エン−１−イル）−３−（１−メチル−２−（キノリン−２−イル）−８，８, １２，１６−テトラメチル−４−アザ−17−オキサビシクロ［14．１．０］ヘプタデカン−５，９−ジオン；
（4S, 7R, 8S, 9S, 13E/Z, 16S(E)）−４，８−ジヒドロキシ−16−（キノリン−２−イル）−1−アザ−５，５, ９，13−テトラメチル−７−（ブト−３−イン−１−イル）−シクロヘキサデク−13−エン−２，６−ジオン；
（1S/R, 3S(E), 7S, 10R, 11R, 12S, 16R/S）−７，11−ジヒドロキシ−10−（ブト−３−イン−１−イル）−３−（１−メチル−２−（キノリン−２−イル）−８，８, １２，１６−テトラメチル−４−アザ−17−オキサビシクロ［14．１．０］ヘプタデカン−５，９−ジオン；
（4S, 7R, 8S, 9S, 13E/Z, 16S(E)）−４，８−ジヒドロキシ−16−（キノリン−２−イル）−1−アザ−５，５, ９，13−テトラメチル−７−（３−メチル−ブト−２−エン−１−イル）−シクロヘキサデク−13−エン−２，６−ジオン；
（1S/R, 3S(E), 7S, 10R, 11R, 12S, 16R/S）−７，11−ジヒドロキシ−10−（３−メチル−ブト−２−エン−１−イル）−３−（１−メチル−２−（キノリン−２−イル）−８，８, １２，１６−テトラメチル−４−アザ−17−オキサビシクロ［14．１．０］ヘプタデカン−５，９−ジオン；
（4S, 7R, 8S, 9S, 13E/Z, 16S(E)）−４，８−ジヒドロキシ−16−（１−メチル−２−（２−ピリジル）エテニル）−1−アザ−５，５, ９，13−テトラメチル−７−（ブト−３−イン−１−イル）−シクロヘキサデク−13−エン−２，６−ジオン；
（1S/R, 3S(E), 7S, 10R, 11R, 12S, 16R/S）−７，11−ジヒドロキシ−10−（ブト−３−イン−１−イル）−３−（１−メチル−２−（２−ピリジル）エテニル）−８，８, １２，１６−テトラメチル−４−アザ−17−オキサビシクロ［14．１．０］ヘプタデカン−５，９−ジオン；
（4S, 7R, 8S, 9S, 13E/Z, 16S(E)）−４，８−ジヒドロキシ−16−（２−（２−ピリジル）エテニル）−1−アザ−５，５, ９，13−テトラメチル−７−（ブト−３−イン−１−イル）−シクロヘキサデク−13−エン−２，６−ジオン；
（1S/R, 3S(E), 7S, 10R, 11R, 12S, 16R/S）−７，11−ジヒドロキシ−10−（ブト−３−イン−１−イル）−３−（２−（２−ピリジル）エテニル）−８，８, １２，１６−テトラメチル−４−アザ−17−オキサビシクロ［14．１．０］ヘプタデカン−５，９−ジオン；
（4S, 7R, 8S, 9S, 13E/Z, 16S(E)）−４，８−ジヒドロキシ−16−（１−フルオロ−２−（２−ピリジル）エテニル）−1−アザ−５，５, ９，13−テトラメチル−７−（ブト−３−イン−１−イル）−シクロヘキサデク−13−エン−２，６−ジオン；
（1S/R, 3S(E), 7S, 10R, 11R, 12S, 16R/S）−７，11−ジヒドロキシ−10−（ブト−３−イン−１−イル）−３−（１−フルオロ−２−（２−ピリジル）エテニル）−８，８, １２，１６−テトラメチル−４−アザ−17−オキサビシクロ［14．１．０］ヘプタデカン−５，９−ジオン；
（4S, 7R, 8S, 9S, 13E/Z, 16S(E)）−４，８−ジヒドロキシ−16−（１−クロロ−２−（２−ピリジル）エテニル）−1−アザ−５，５, ９，13−テトラメチル−７−（ブト−３−イン−１−イル）−シクロヘキサデク−13−エン−２，６−ジオン；
（1S/R, 3S(E), 7S, 10R, 11R, 12S, 16R/S）−７，11−ジヒドロキシ−10−（ブト−３−イン−１−イル）−３−（１−クロロ−２−（２−ピリジル）エテニル）−８，８, １２，１６−テトラメチル−４−アザ−17−オキサビシクロ［14．１．０］ヘプタデカン−５，９−ジオン；
（4S, 7R, 8S, 9S, 13E/Z, 16S(E)）−４，８−ジヒドロキシ−16−（１−メチル−２−（２−ピリジル）エテニル）−1−アザ−５，５, ９，13−テトラメチル−７−（ブト−３−エン−１−イル）−シクロヘキサデク−13−エン−２，６−ジオン；
（1S/R, 3S(E), 7S, 10R, 11R, 12S, 16R/S）−７，11−ジヒドロキシ−10−（ブト−３−エン−１−イル）−３−（１−メチル−２−（２−ピリジル）エテニル）−８，８, １２，１６−テトラメチル−４−アザ−17−オキサビシクロ［14．１．０］ヘプタデカン−５，９−ジオン；
（4S, 7R, 8S, 9S, 13E/Z, 16S(E)）−４，８−ジヒドロキシ−16−（２−（２−ピリジル）エテニル）−1−アザ−５，５, ９，13−テトラメチル−７−（ブト−３−エン−１−イル）−シクロヘキサデク−13−エン−２，６−ジオン；
（1S/R, 3S(E), 7S, 10R, 11R, 12S, 16R/S）−７，11−ジヒドロキシ−10−（ブト−３−エン−１−イル）−３−（２−（２−ピリジル）エテニル）−８，８, １２，１６−テトラメチル−４−アザ−17−オキサビシクロ［14．１．０］ヘプタデカン−５，９−ジオン；
（4S, 7R, 8S, 9S, 13E/Z, 16S(E)）−４，８−ジヒドロキシ−16−（１−フルオロ−２−（２−ピリジル）エテニル）−1−アザ−５，５, ９，13−テトラメチル−７−（ブト−３−エン−１−イル）−シクロヘキサデク−13−エン−２，６−ジオン；
（1S/R, 3S(E), 7S, 10R, 11R, 12S, 16R/S）−７，11−ジヒドロキシ−10−（ブト−３−エン−１−イル）−３−（１−フルオロ−２−（２−ピリジル）エテニル）−８，８, １２，１６−テトラメチル−４−アザ−17−オキサビシクロ［14．１．０］ヘプタデカン−５，９−ジオン；
（4S, 7R, 8S, 9S, 13E/Z, 16S(E)）−４，８−ジヒドロキシ−16−（１−クロロ−２−（２−ピリジル）エテニル）−1−アザ−５，５, ９，13−テトラメチル−７−（ブト−３−エン−１−イル）−シクロヘキサデク−13−エン−２，６−ジオン；
（1S/R, 3S(E), 7S, 10R, 11R, 12S, 16R/S）−７，11−ジヒドロキシ−10−（ブト−３−エン−１−イル）−３−（１−クロロ−２−（２−ピリジル）エテニル）−８，８, １２，１６−テトラメチル−４−アザ−17−オキサビシクロ［14．１．０］ヘプタデカン−５，９−ジオン；
（4S, 7R(RS), 8S, 9S, 13E/Z, 16S(E)）−４，８−ジヒドロキシ−16−（１−メチル−２−（２−ピリジル）エテニル）−1−アザ−５，５, ９，13−テトラメチル−７−（２−オキサシクロプロピル−１−エチル）−シクロヘキサデク−13−エン−２，６−ジオン；
（1S/R, 3S(E), 7S, 10R(RS), 11R, 12S, 16R/S）−７，11−ジヒドロキシ−10−（２−オキサシクロプロピル−１−エチル）−３−（１−メチル−２−（２−ピリジル）エテニル）−８，８, １２，１６−テトラメチル−４−アザ−17−オキサビシクロ［14．１．０］ヘプタデカン−５，９−ジオン；
（4S, 7R(RS), 8S, 9S, 13E/Z, 16S(E)）−４，８−ジヒドロキシ−16−（２−（２−ピリジル）エテニル）−1−アザ−５，５, ９，13−テトラメチル−７−（２−オキサシクロプロピル−１−エチル）−シクロヘキサデク−13−エン−２，６−ジオン；
（1S/R, 3S(E), 7S, 10R(RS), 11R, 12S, 16R/S）−７，11−ジヒドロキシ−10−（２−オキサシクロプロピル−１−エチル）−３−（２−（２−ピリジル）エテニル）−８，８, １２，１６−テトラメチル−４−アザ−17−オキサビシクロ［14．１．０］ヘプタデカン−５，９−ジオン；
（4S, 7R(RS), 8S, 9S, 13E/Z, 16S(E)）−４，８−ジヒドロキシ−16−（１−フルオロ−２−（２−ピリジル）エテニル）−1−アザ−５，５, ９，13−テトラメチル−７−（２−オキサシクロプロピル−１−エチル）−シクロヘキサデク−13−エン−２，６−ジオン；
（1S/R, 3S(E), 7S, 10R(RS), 11R, 12S, 16R/S）−７，11−ジヒドロキシ−10−（２−オキサシクロプロピル−１−エチル）−３−（１−フルオロ−２−（２−ピリジル）エテニル）−８，８, １２，１６−テトラメチル−４−アザ−17−オキサビシクロ［14．１．０］ヘプタデカン−５，９−ジオン；
（4S, 7R(RS), 8S, 9S, 13E/Z, 16S(E)）−４，８−ジヒドロキシ−16−（１−クロロ−２−（２−ピリジル）エテニル）−1−アザ−５，５, ９，13−テトラメチル−７−（２−オキサシクロプロピル−１−エチル）−シクロヘキサデク−13−エン−２，６−ジオン；
（1S/R, 3S(E), 7S, 10R(RS), 11R, 12S, 16R/S）−７，11−ジヒドロキシ−10−（２−オキサシクロプロピル−１−エチル）−３−（１−クロロ−２−（２−ピリジル）エテニル）−８，８, １２，１６−テトラメチル−４−アザ−17−オキサビシクロ［14．１．０］ヘプタデカン−５，９−ジオン；
（4S, 7R, 8S, 9S, 13E/Z, 16S(E)）−４，８−ジヒドロキシ−16−（１−メチル−２−（２−ピリジル）エテニル）−1−アザ−５，５, ９，13−テトラメチル−７−（プロプ−２−イン−１−イル）−シクロヘキサデク−13−エン−２，６−ジオン；
（1S/R, 3S(E), 7S, 10R, 11R, 12S, 16R/S）−７，11−ジヒドロキシ−10−（プロプ−２−イン−１−イル）−３−（１−メチル−２−（２−ピリジル）エテニル）−８，８, １２，１６−テトラメチル−４−アザ−17−オキサビシクロ［14．１．０］ヘプタデカン−５，９−ジオン；
（4S, 7R, 8S, 9S, 13E/Z, 16S(E)）−４，８−ジヒドロキシ−16−（２−（２−ピリジル）エテニル）−1−アザ−５，５, ９，13−テトラメチル−７−（プロプ−２−イン−１−イル）−シクロヘキサデク−13−エン−２，６−ジオン；
（1S/R, 3S(E), 7S, 10R, 11R, 12S, 16R/S）−７，11−ジヒドロキシ−10−（プロプ−２−イン−１−イル）−３−（２−（２−ピリジル）エテニル）−８，８, １２，１６−テトラメチル−４−アザ−17−オキサビシクロ［14．１．０］ヘプタデカン−５，９−ジオン；
（4S, 7R, 8S, 9S, 13E/Z, 16S(E)）−４，８−ジヒドロキシ−16−（１−フルオロ−２−（２−ピリジル）エテニル）−1−アザ−５，５, ９，13−テトラメチル−７−（プロプ−２−イン−１−イル）−シクロヘキサデク−13−エン−２，６−ジオン；
（1S/R, 3S(E), 7S, 10R, 11R, 12S, 16R/S）−７，11−ジヒドロキシ−10−（プロプ−２−イン−１−イル）−３−（１−フルオロ−２−（２−ピリジル）エテニル）−８，８, １２，１６−テトラメチル−４−アザ−17−オキサビシクロ［14．１．０］ヘプタデカン−５，９−ジオン；
（4S, 7R, 8S, 9S, 13E/Z, 16S(E)）−４，８−ジヒドロキシ−16−（１−クロロ−２−（２−ピリジル）エテニル）−1−アザ−５，５, ９，13−テトラメチル−７−（プロプ−２−イン−１−イル）−シクロヘキサデク−13−エン−２，６−ジオン；
（1S/R, 3S(E), 7S, 10R, 11R, 12S, 16R/S）−７，11−ジヒドロキシ−10−（プロプ−２−イン−１−イル）−３−（１−クロロ−２−（２−ピリジル）エテニル）−８，８, １２，１６−テトラメチル−４−アザ−17−オキサビシクロ［14．１．０］ヘプタデカン−５，９−ジオン；
（4S, 7R, 8S, 9S, 13E/Z, 16S(E)）−４，８−ジヒドロキシ−16−（１−メチル−２−（２−ピリジル）エテニル）−1−アザ−５，５, ９，13−テトラメチル−７−（プロプ−２−エン−１−イル）−シクロヘキサデク−13−エン−２，６−ジオン；
（1S/R, 3S(E), 7S, 10R, 11R, 12S, 16R/S）−７，11−ジヒドロキシ−10−（プロプ−２−エン−１−イル）−３−（１−メチル−２−（２−ピリジル）エテニル）−８，８, １２，１６−テトラメチル−４−アザ−17−オキサビシクロ［14．１．０］ヘプタデカン−５，９−ジオン；
（4S, 7R, 8S, 9S, 13E/Z, 16S(E)）−４，８−ジヒドロキシ−16−（２−（２−ピリジル）エテニル）−1−アザ−５，５, ９，13−テトラメチル−７−（プロプ−２−エン−１−イル）−シクロヘキサデク−13−エン−２，６−ジオン；
（1S/R, 3S(E), 7S, 10R, 11R, 12S, 16R/S）−７，11−ジヒドロキシ−10−（プロプ−２−エン−１−イル）−３−（２−（２−ピリジル）エテニル）−８，８, １２，１６−テトラメチル−４−アザ−17−オキサビシクロ［14．１．０］ヘプタデカン−５，９−ジオン；
（4S, 7R, 8S, 9S, 13E/Z, 16S(E)）−４，８−ジヒドロキシ−16−（１−フルオロ−２−（２−ピリジル）エテニル）−1−アザ−５，５, ９，13−テトラメチル−７−（プロプ−２−エン−１−イル）−シクロヘキサデク−13−エン−２，６−ジオン；
（1S/R, 3S(E), 7S, 10R, 11R, 12S, 16R/S）−７，11−ジヒドロキシ−10−（プロプ−２−エン−１−イル）−３−（１−フルオロ−２−（２−ピリジル）エテニル）−８，８, １２，１６−テトラメチル−４−アザ−17−オキサビシクロ［14．１．０］ヘプタデカン−５，９−ジオン；
（4S, 7R, 8S, 9S, 13E/Z, 16S(E)）−４，８−ジヒドロキシ−16−（１−クロロ−２−（２−ピリジル）エテニル）−1−アザ−５，５, ９，13−テトラメチル−７−（プロプ−２−エン−１−イル）−シクロヘキサデク−13−エン−２，６−ジオン；
（1S/R, 3S(E), 7S, 10R, 11R, 12S, 16R/S）−７，11−ジヒドロキシ−10−（プロプ−２−エン−１−イル）−３−（１−クロロ−２−（２−ピリジル）エテニル）−８，８, １２，１６−テトラメチル−４−アザ−17−オキサビシクロ［14．１．０］ヘプタデカン−５，９−ジオン；
（4S, 7R(RS), 8S, 9S, 13E/Z, 16S(E)）−４，８−ジヒドロキシ−16−（１−メチル−２−（２−ピリジル）エテニル）−1−アザ−５，５, ９，13−テトラメチル−７−（オキサシクロプロピルメチル）−シクロヘキサデク−13−エン−２，６−ジオン；
（1S/R, 3S(E), 7S, 10R(RS), 11R, 12S, 16R/S）−７，11−ジヒドロキシ−10−（オキサシクロプロピルメチル）−３−（１−メチル−２−（２−ピリジル）エテニル）−８，８, １２，１６−テトラメチル−４−アザ−17−オキサビシクロ［14．１．０］ヘプタデカン−５，９−ジオン；
（4S, 7R(RS), 8S, 9S, 13E/Z, 16S(E)）−４，８−ジヒドロキシ−16−（２−（２−ピリジル）エテニル）−1−アザ−５，５, ９，13−テトラメチル−７−（オキサシクロプロピルメチル）−シクロヘキサデク−13−エン−２，６−ジオン；
（1S/R, 3S(E), 7S, 10R(RS), 11R, 12S, 16R/S）−７，11−ジヒドロキシ−10−（オキサシクロプロピルメチル）−３−（２−（２−ピリジル）エテニル）−８，８, １２，１６−テトラメチル−４−アザ−17−オキサビシクロ［14．１．０］ヘプタデカン−５，９−ジオン；
（4S, 7R(RS), 8S, 9S, 13E/Z, 16S(E)）−４，８−ジヒドロキシ−16−（１−フルオロ−２−（２−ピリジル）エテニル）−1−アザ−５，５, ９，13−テトラメチル−７−（オキサシクロプロピルメチル）−シクロヘキサデク−13−エン−２，６−ジオン；
（1S/R, 3S(E), 7S, 10R(RS), 11R, 12S, 16R/S）−７，11−ジヒドロキシ−10−（オキサシクロプロピルメチル）−３−（１−フルオロ−２−（２−ピリジル）エテニル）−８，８, １２，１６−テトラメチル−４−アザ−17−オキサビシクロ［14．１．０］ヘプタデカン−５，９−ジオン；
（4S, 7R(RS), 8S, 9S, 13E/Z, 16S(E)）−４，８−ジヒドロキシ−16−（１−クロロ−２−（２−ピリジル）エテニル）−1−アザ−５，５, ９，13−テトラメチル−７−（オキサシクロプロピルメチル）−シクロヘキサデク−13−エン−２，６−ジオン；
（1S/R, 3S(E), 7S, 10R(RS), 11R, 12S, 16R/S）−７，11−ジヒドロキシ−10−（オキサシクロプロピルメチル）−３−（１−クロロ−２−（２−ピリジル）エテニル）−８，８, １２，１６−テトラメチル−４−アザ−17−オキサビシクロ［14．１．０］ヘプタデカン−５，９−ジオン；
（4S, 7R, 8S, 9S, 13E/Z, 16S(E)）−４，８−ジヒドロキシ−16−（１−メチル−２−（２−メチルチアゾール−４−イル）エテニル）−1−アザ−５，５, ９，13−テトラメチル−７−（ブト−３−イン−１−イル）−シクロヘキサデク−13−エン−２，６−ジオン；
（1S/R, 3S(E), 7S, 10R, 11R, 12S, 16R/S）−７，11−ジヒドロキシ−10−（ブト−３−イン−１−イル）−３−（１−メチル−２−（２−メチルチアゾール−４−イル）エテニル）−８，８, １２，１６−テトラメチル−４−アザ−17−オキサビシクロ［14．１．０］ヘプタデカン−５，９−ジオン；
（4S, 7R, 8S, 9S, 13E/Z, 16S(E)）−４，８−ジヒドロキシ−16−（２−（２−メチルチアゾール−４−イル）エテニル）−1−アザ−５，５, ９，13−テトラメチル−７−（ブト−３−イン−１−イル）−シクロヘキサデク−13−エン−２，６−ジオン；
（1S/R, 3S(E), 7S, 10R, 11R, 12S, 16R/S）−７，11−ジヒドロキシ−10−（ブト−３−イン−１−イル）−３−（２−（２−メチルチアゾール−４−イル）エテニル）−８，８, １２，１６−テトラメチル−４−アザ−17−オキサビシクロ［14．１．０］ヘプタデカン−５，９−ジオン；
（4S, 7R, 8S, 9S, 13E/Z, 16S(E)）−４，８−ジヒドロキシ−16−（１−フルオロ−２−（２−メチルチアゾール−４−イル）エテニル）−1−アザ−５，５, ９，13−テトラメチル−７−（ブト−３−イン−１−イル）−シクロヘキサデク−13−エン−２，６−ジオン；
（1S/R, 3S(E), 7S, 10R, 11R, 12S, 16R/S）−７，11−ジヒドロキシ−10−（ブト−３−イン−１−イル）−３−（１−フルオロ−２−（２−メチルチアゾール−４−イル）エテニル）−８，８, １２，１６−テトラメチル−４−アザ−17−オキサビシクロ［14．１．０］ヘプタデカン−５，９−ジオン；
（4S, 7R, 8S, 9S, 13E/Z, 16S(E)）−４，８−ジヒドロキシ−16−（１−クロロ−２−（２−メチルチアゾール−４−イル）エテニル）−1−アザ−５，５, ９，13−テトラメチル−７−（ブト−３−イン−１−イル）−シクロヘキサデク−13−エン−２，６−ジオン；
（1S/R, 3S(E), 7S, 10R, 11R, 12S, 16R/S）−７，11−ジヒドロキシ−10−（ブト−３−イン−１−イル）−３−（１−クロロ−２−（２−メチルチアゾール−４−イル）エテニル）−８，８, １２，１６−テトラメチル−４−アザ−17−オキサビシクロ［14．１．０］ヘプタデカン−５，９−ジオン；
（4S, 7R, 8S, 9S, 13E/Z, 16S(E)）−４，８−ジヒドロキシ−16−（１−メチル−２−（２−メチルチアゾール−４−イル）エテニル）−1−アザ−５，５, ９，13−テトラメチル−７−（ブト−３−エン−１−イル）−シクロヘキサデク−13−エン−２，６−ジオン；
（1S/R, 3S(E), 7S, 10R, 11R, 12S, 16R/S）−７，11−ジヒドロキシ−10−（ブト−３−エン−１−イル）−３−（１−メチル−２−（２−メチルチアゾール−４−イル）エテニル）−８，８, １２，１６−テトラメチル−４−アザ−17−オキサビシクロ［14．１．０］ヘプタデカン−５，９−ジオン；
（4S, 7R, 8S, 9S, 13E/Z, 16S(E)）−４，８−ジヒドロキシ−16−（２−（２−メチルチアゾール−４−イル）エテニル）−1−アザ−５，５, ９，13−テトラメチル−７−（ブト−３−エン−１−イル）−シクロヘキサデク−13−エン−２，６−ジオン；
（1S/R, 3S(E), 7S, 10R, 11R, 12S, 16R/S）−７，11−ジヒドロキシ−10−（ブト−３−エン−１−イル）−３−（２−（２−メチルチアゾール−４−イル）エテニル）−８，８, １２，１６−テトラメチル−４−アザ−17−オキサビシクロ［14．１．０］ヘプタデカン−５，９−ジオン；
（4S, 7R, 8S, 9S, 13E/Z, 16S(E)）−４，８−ジヒドロキシ−16−（１−フルオロ−２−（２−メチルチアゾール−４−イル）エテニル）−1−アザ−５，５, ９，13−テトラメチル−７−（ブト−３−エン−１−イル）−シクロヘキサデク−13−エン−２，６−ジオン；
（1S/R, 3S(E), 7S, 10R, 11R, 12S, 16R/S）−７，11−ジヒドロキシ−10−（ブト−３−エン−１−イル）−３−（１−フルオロ−２−（２−メチルチアゾール−４−イル）エテニル）−８，８, １２，１６−テトラメチル−４−アザ−17−オキサビシクロ［14．１．０］ヘプタデカン−５，９−ジオン；
（4S, 7R, 8S, 9S, 13E/Z, 16S(E)）−４，８−ジヒドロキシ−16−（１−クロロ−２−（２−メチルチアゾール−４−イル）エテニル）−1−アザ−５，５, ９，13−テトラメチル−７−（ブト−３−エン−１−イル）−シクロヘキサデク−13−エン−２，６−ジオン；
（1S/R, 3S(E), 7S, 10R, 11R, 12S, 16R/S）−７，11−ジヒドロキシ−10−（ブト−３−エン−１−イル）−３−（１−クロロ−２−（２−メチルチアゾール−４−イル）エテニル）−８，８, １２，１６−テトラメチル−４−アザ−17−オキサビシクロ［14．１．０］ヘプタデカン−５，９−ジオン；
（4S, 7R(RS), 8S, 9S, 13E/Z, 16S(E)）−４，８−ジヒドロキシ−16−（１−メチル−２−（２−メチルチアゾール−４−イル）エテニル）−1−アザ−５，５, ９，13−テトラメチル−７−（２−オキサシクロプロピル−１−エチル）−シクロヘキサデク−13−エン−２，６−ジオン；
（1S/R, 3S(E), 7S, 10R(RS), 11R, 12S, 16R/S）−７，11−ジヒドロキシ−10−（２−オキサシクロプロピル−１−エチル）−３−（１−メチル−２−（２−メチルチアゾール−４−イル）エテニル）−８，８, １２，１６−テトラメチル−４−アザ−17−オキサビシクロ［14．１．０］ヘプタデカン−５，９−ジオン；
（4S, 7R(RS), 8S, 9S, 13E/Z, 16S(E)）−４，８−ジヒドロキシ−16−（２−（２−メチルチアゾール−４−イル）エテニル）−1−アザ−５，５, ９，13−テトラメチル−７−（２−オキサシクロプロピル−１−エチル）−シクロヘキサデク−13−エン−２，６−ジオン；
（1S/R, 3S(E), 7S, 10R(RS), 11R, 12S, 16R/S）−７，11−ジヒドロキシ−10−（２−オキサシクロプロピル−１−エチル）−３−（２−（２−メチルチアゾール−４−イル）エテニル）−８，８, １２，１６−テトラメチル−４−アザ−17−オキサビシクロ［14．１．０］ヘプタデカン−５，９−ジオン；
（4S, 7R(RS), 8S, 9S, 13E/Z, 16S(E)）−４，８−ジヒドロキシ−16−（１−フルオロ−２−（２−メチルチアゾール−４−イル）エテニル）−1−アザ−５，５, ９，13−テトラメチル−７−（２−オキサシクロプロピル−１−エチル）−シクロヘキサデク−13−エン−２，６−ジオン；
（1S/R, 3S(E), 7S, 10R(RS), 11R, 12S, 16R/S）−７，11−ジヒドロキシ−10−（２−オキサシクロプロピル−１−エチル）−３−（１−フルオロ−２−（２−メチルチアゾール−４−イル）エテニル）−８，８, １２，１６−テトラメチル−４−アザ−17−オキサビシクロ［14．１．０］ヘプタデカン−５，９−ジオン；
（4S, 7R(RS), 8S, 9S, 13E/Z, 16S(E)）−４，８−ジヒドロキシ−16−（１−クロロ−２−（２−メチルチアゾール−４−イル）エテニル）−1−アザ−５，５, ９，13−テトラメチル−７−（２−オキサシクロプロピル−１−エチル）−シクロヘキサデク−13−エン−２，６−ジオン；
（1S/R, 3S(E), 7S, 10R(RS), 11R, 12S, 16R/S）−７，11−ジヒドロキシ−10−（２−オキサシクロプロピル−１−エチル）−３−（１−クロロ−２−（２−メチルチアゾール−４−イル）エテニル）−８，８, １２，１６−テトラメチル−４−アザ−17−オキサビシクロ［14．１．０］ヘプタデカン−５，９−ジオン；
（4S, 7R, 8S, 9S, 13E/Z, 16S(E)）−４，８−ジヒドロキシ−16−（１−メチル−２−（２−メチルチアゾール−４−イル）エテニル）−1−アザ−５，５, ９，13−テトラメチル−７−（プロプ−２−イン−１−イル）−シクロヘキサデク−13−エン−２，６−ジオン；
（1S/R, 3S(E), 7S, 10R, 11R, 12S, 16R/S）−７，11−ジヒドロキシ−10−（プロプ−２−イン−１−イル）−３−（１−メチル−２−（２−メチルチアゾール−４−イル）エテニル）−８，８, １２，１６−テトラメチル−４−アザ−17−オキサビシクロ［14．１．０］ヘプタデカン−５，９−ジオン；
（4S, 7R, 8S, 9S, 13E/Z, 16S(E)）−４，８−ジヒドロキシ−16−（２−（２−メチルチアゾール−４−イル）エテニル）−1−アザ−５，５, ９，13−テトラメチル−７−（プロプ−２−イン−１−イル）−シクロヘキサデク−13−エン−２，６−ジオン；
（1S/R, 3S(E), 7S, 10R, 11R, 12S, 16R/S）−７，11−ジヒドロキシ−10−（プロプ−２−イン−１−イル）−３−（２−（２−メチルチアゾール−４−イル）エテニル）−８，８, １２，１６−テトラメチル−４−アザ−17−オキサビシクロ［14．１．０］ヘプタデカン−５，９−ジオン；
（4S, 7R, 8S, 9S, 13E/Z, 16S(E)）−４，８−ジヒドロキシ−16−（１−フルオロ−２−（２−メチルチアゾール−４−イル）エテニル）−1−アザ−５，５, ９，13−テトラメチル−７−（プロプ−２−イン−１−イル）−シクロヘキサデク−13−エン−２，６−ジオン；
（1S/R, 3S(E), 7S, 10R, 11R, 12S, 16R/S）−７，11−ジヒドロキシ−10−（プロプ−２−イン−１−イル）−３−（１−フルオロ−２−（２−メチルチアゾール−４−イル）エテニル）−８，８, １２，１６−テトラメチル−４−アザ−17−オキサビシクロ［14．１．０］ヘプタデカン−５，９−ジオン；
（4S, 7R, 8S, 9S, 13E/Z, 16S(E)）−４，８−ジヒドロキシ−16−（１−クロロ−２−（２−メチルチアゾール−４−イル）エテニル）−1−アザ−５，５, ９，13−テトラメチル−７−（プロプ−２−イン−１−イル）−シクロヘキサデク−13−エン−２，６−ジオン；
（1S/R, 3S(E), 7S, 10R, 11R, 12S, 16R/S）−７，11−ジヒドロキシ−10−（プロプ−２−イン−１−イル）−３−（１−クロロ−２−（２−メチルチアゾール−４−イル）エテニル）−８，８, １２，１６−テトラメチル−４−アザ−17−オキサビシクロ［14．１．０］ヘプタデカン−５，９−ジオン；
（4S, 7R, 8S, 9S, 13E/Z, 16S(E)）−４，８−ジヒドロキシ−16−（１−メチル−２−（２−メチルチアゾール−４−イル）エテニル）−1−アザ−５，５, ９，13−テトラメチル−７−（プロプ−２−エン−１−イル）−シクロヘキサデク−13−エン−２，６−ジオン；
（1S/R, 3S(E), 7S, 10R, 11R, 12S, 16R/S）−７，11−ジヒドロキシ−10−（プロプ−２−エン−１−イル）−３−（１−メチル−２−（２−メチルチアゾール−４−イル）エテニル）−８，８, １２，１６−テトラメチル−４−アザ−17−オキサビシクロ［14．１．０］ヘプタデカン−５，９−ジオン；
（4S, 7R, 8S, 9S, 13E/Z, 16S(E)）−４，８−ジヒドロキシ−16−（２−（２−メチルチアゾール−４−イル）エテニル）−1−アザ−５，５，９，13−テトラメチル−７−（プロプ−２−イン−１−イル）−シクロヘキサデク−13−エン−２，６−ジオン；
（1S/R, 3S(E), 7S, 10R, 11R, 12S, 16R/S）−７，11−ジヒドロキシ−10−（プロプ−２−イン−１−イル）−３−（２−（２−メチルチアゾール−４−イル）エテニル）−８，８, １２，１６−テトラメチル−４−アザ−17−オキサビシクロ［14．１．０］ヘプタデカン−５，９−ジオン；
（4S, 7R, 8S, 9S, 13E/Z, 16S(E)）−４，８−ジヒドロキシ−16−（１−フルオロ−２−（２−メチルチアゾール−４−イル）エテニル）−1−アザ−５，５, ９，13−テトラメチル−７−（プロプ−２−エン−１−イル）−シクロヘキサデク−13−エン−２，６−ジオン；
（1S/R, 3S(E), 7S, 10R, 11R, 12S, 16R/S）−７，11−ジヒドロキシ−10−（プロプ−２−エン−１−イル）−３−（１−フルオロ−２−（２−メチルチアゾール−４−イル）エテニル）−８，８, １２，１６−テトラメチル−４−アザ−17−オキサビシクロ［14．１．０］ヘプタデカン−５，９−ジオン；
（4S, 7R, 8S, 9S, 13E/Z, 16S(E)）−４，８−ジヒドロキシ−16−（１−クロロ−２−（２−メチルチアゾール−４−イル）エテニル）−1−アザ−５，５, ９，13−テトラメチル−７−（プロプ−２−エン−１−イル）−シクロヘキサデク−13−エン−２，６−ジオン；
（1S/R, 3S(E), 7S, 10R, 11R, 12S, 16R/S）−７，11−ジヒドロキシ−10−（プロプ−２−エン−１−イル）−３−（１−クロロ−２−（２−メチルチアゾール−４−イル）エテニル）−８，８, １２，１６−テトラメチル−４−アザ−17−オキサビシクロ［14．１．０］ヘプタデカン−５，９−ジオン；
（4S, 7R(RS), 8S, 9S, 13E/Z, 16S(E)）−４，８−ジヒドロキシ−16−（１−メチル−２−（２−メチルチアゾール−４−イル）エテニル）−1−アザ−５，５, ９，13−テトラメチル−７−（オキサシクロプロピルメチル）−シクロヘキサデク−13−エン−２，６−ジオン；
（1S/R, 3S(E), 7S, 10R(RS), 11R, 12S, 16R/S）−７，11−ジヒドロキシ−10−（オキサシクロプロピルメチル）−３−（１−メチル−２−（２−メチルチアゾール−４−イル）エテニル）−８，８, １２，１６−テトラメチル−４−アザ−17−オキサビシクロ［14．１．０］ヘプタデカン−５，９−ジオン；
（4S, 7R(RS), 8S, 9S, 13E/Z, 16S(E)）−４，８−ジヒドロキシ−16−（２−（２−メチルチアゾール−４−イル）エテニル）−1−アザ−５，５, ９，13−テトラメチル−７−（オキサシクロプロピルメチル）−シクロヘキサデク−13−エン−２，６−ジオン；
（1S/R, 3S(E), 7S, 10R(RS), 11R, 12S, 16R/S）−７，11−ジヒドロキシ−10−（オキサシクロプロピルメチル）−３−（２−（２−メチルチアゾール−４−イル）エテニル）−８，８, １２，１６−テトラメチル−４−アザ−17−オキサビシクロ［14．１．０］ヘプタデカン−５，９−ジオン；
（4S, 7R(RS), 8S, 9S, 13E/Z, 16S(E)）−４，８−ジヒドロキシ−16−（１−フルオロ−２−（２−メチルチアゾール−４−イル）エテニル）−1−アザ−５，５, ９，13−テトラメチル−７−（オキサシクロプロピルメチル）−シクロヘキサデク−13−エン−２，６−ジオン；
（1S/R, 3S(E), 7S, 10R(RS), 11R, 12S, 16R/S）−７，11−ジヒドロキシ−10−（オキサシクロプロピルメチル）−３−（１−フルオロ−２−（２−メチルチアゾール−４−イル）エテニル）−８，８, １２，１６−テトラメチル−４−アザ−17−オキサビシクロ［14．１．０］ヘプタデカン−５，９−ジオン；
（4S, 7R(RS), 8S, 9S, 13E/Z, 16S(E)）−４，８−ジヒドロキシ−16−（１−クロロ−２−（２−メチルチアゾール−４−イル）エテニル）−1−アザ−５，５, ９，13−テトラメチル−７−（オキサシクロプロピルメチル）−シクロヘキサデク−13−エン−２，６−ジオン；
（1S/R, 3S(E), 7S, 10R(RS), 11R, 12S, 16R/S）−７，11−ジヒドロキシ−10−（オキサシクロプロピルメチル）−３−（１−クロロ−２−（２−メチルチアゾール−４−イル）エテニル）−８，８, １２，１６−テトラメチル−４−アザ−17−オキサビシクロ［14．１．０］ヘプタデカン−５，９−ジオン；
（4S, 7R, 8S, 9S, 13E/Z, 16S(E)）−４，８−ジヒドロキシ−16−（１−メチル−２−（２−メチルオキサゾール−４−イル）エテニル）−1−アザ−５，５, ９，13−テトラメチル−７−（ブト−３−イン−１−イル）−シクロヘキサデク−13−エン−２，６−ジオン；
（1S/R, 3S(E), 7S, 10R, 11R, 12S, 16R/S）−７，11−ジヒドロキシ−10−（ブト−３−イン−１−イル）−３−（１−メチル−２−（２−メチルオキサゾール−４−イル）エテニル）−８，８, １２，１６−テトラメチル−４−アザ−17−オキサビシクロ［14．１．０］ヘプタデカン−５，９−ジオン；
（4S, 7R, 8S, 9S, 13E/Z, 16S(E)）−４，８−ジヒドロキシ−16−（２−（２−メチルオキサゾール−４−イル）エテニル）−1−アザ−５，５, ９，13−テトラメチル−７−（ブト−３−イン−１−イル）−シクロヘキサデク−13−エン−２，６−ジオン；
（1S/R, 3S(E), 7S, 10R, 11R, 12S, 16R/S）−７，11−ジヒドロキシ−10−（ブト−３−イン−１−イル）−３−（２−（２−メチルオキサゾール−４−イル）エテニル）−８，８, １２，１６−テトラメチル−４−アザ−17−オキサビシクロ［14．１．０］ヘプタデカン−５，９−ジオン；
（4S, 7R, 8S, 9S, 13E/Z, 16S(E)）−４，８−ジヒドロキシ−16−（１−フルオロ−２−（２−メチルオキサゾール−４−イル）エテニル）−1−アザ−５，５, ９，13−テトラメチル−７−（ブト−３−イン−１−イル）−シクロヘキサデク−13−エン−２，６−ジオン；
（1S/R, 3S(E), 7S, 10R, 11R, 12S, 16R/S）−７，11−ジヒドロキシ−10−（ブト−３−イン−１−イル）−３−（１−フルオロ−２−（２−メチルオキサゾール−４−イル）エテニル）−８，８, １２，１６−テトラメチル−４−アザ−17−オキサビシクロ［14．１．０］ヘプタデカン−５，９−ジオン；
（4S, 7R, 8S, 9S, 13E/Z, 16S(E)）−４，８−ジヒドロキシ−16−（１−クロロ−２−（２−メチルオキサゾール−４−イル）エテニル）−1−アザ−５，５, ９，13−テトラメチル−７−（ブト−３−イン−１−イル）−シクロヘキサデク−13−エン−２，６−ジオン；
（1S/R, 3S(E), 7S, 10R, 11R, 12S, 16R/S）−７，11−ジヒドロキシ−10−（ブト−３−イン−１−イル）−３−（１−クロロ−２−（２−メチルオキサゾール−４−イル）エテニル）−８，８, １２，１６−テトラメチル−４−アザ−17−オキサビシクロ［14．１．０］ヘプタデカン−５，９−ジオン；
（4S, 7R, 8S, 9S, 13E/Z, 16S(E)）−４，８−ジヒドロキシ−16−（１−メチル−２−（２−メチルオキサゾール−４−イル）エテニル）−1−アザ−５，５, ９，13−テトラメチル−７−（ブト−３−エン−１−イル）−シクロヘキサデク−13−エン−２，６−ジオン；
（1S/R, 3S(E), 7S, 10R, 11R, 12S, 16R/S）−７，11−ジヒドロキシ−10−（ブト−３−エン−１−イル）−３−（１−メチル−２−（２−メチルオキサゾール−４−イル）エテニル）−８，８, １２，１６−テトラメチル−４−アザ−17−オキサビシクロ［14．１．０］ヘプタデカン−５，９−ジオン；
（4S, 7R, 8S, 9S, 13E/Z, 16S(E)）−４，８−ジヒドロキシ−16−（２−（２−メチルオキサゾール−４−イル）エテニル）−1−アザ−５，５, ９，13−テトラメチル−７−（ブト−３−エン−１−イル）−シクロヘキサデク−13−エン−２，６−ジオン；
（1S/R, 3S(E), 7S, 10R, 11R, 12S, 16R/S）−７，11−ジヒドロキシ−10−（ブト−３−エン−１−イル）−３−（２−（２−メチルオキサゾール−４−イル）エテニル）−８，８, １２，１６−テトラメチル−４−アザ−17−オキサビシクロ［14．１．０］ヘプタデカン−５，９−ジオン；
（4S, 7R, 8S, 9S, 13E/Z, 16S(E)）−４，８−ジヒドロキシ−16−（１−フルオロ−２−（２−メチルオキサゾール−４−イル）エテニル）−1−アザ−５，５, ９，13−テトラメチル−７−（ブト−３−エン−１−イル）−シクロヘキサデク−13−エン−２，６−ジオン；
（1S/R, 3S(E), 7S, 10R, 11R, 12S, 16R/S）−７，11−ジヒドロキシ−10−（ブト−３−エン−１−イル）−３−（１−フルオロ−２−（２−メチルオキサゾール−４−イル）エテニル）−８，８, １２，１６−テトラメチル−４−アザ−17−オキサビシクロ［14．１．０］ヘプタデカン−５，９−ジオン；
（4S, 7R, 8S, 9S, 13E/Z, 16S(E)）−４，８−ジヒドロキシ−16−（１−クロロ−２−（２−メチルオキサゾール−４−イル）エテニル）−1−アザ−５，５, ９，13−テトラメチル−７−（ブト−３−エン−１−イル）−シクロヘキサデク−13−エン−２，６−ジオン；
（1S/R, 3S(E), 7S, 10R, 11R, 12S, 16R/S）−７，11−ジヒドロキシ−10−（ブト−３−エン−１−イル）−３−（１−クロロ−２−（２−メチルオキサゾール−４−イル）エテニル）−８，８, １２，１６−テトラメチル−４−アザ−17−オキサビシクロ［14．１．０］ヘプタデカン−５，９−ジオン；
（4S, 7R(RS), 8S, 9S, 13E/Z, 16S(E)）−４，８−ジヒドロキシ−16−（１−メチル−２−（２−メチルオキサゾール−４−イル）エテニル）−1−アザ−５，５, ９，13−テトラメチル−７−（２−オキサシクロプロピル−１−エチル）−シクロヘキサデク−13−エン−２，６−ジオン；
（1S/R, 3S(E), 7S, 10R(RS), 11R, 12S, 16R/S）−７，11−ジヒドロキシ−10−（２−オキサシクロプロピル−１−エチル）−３−（１−メチル−２−（２−メチルオキサゾール−４−イル）エテニル）−８，８, １２，１６−テトラメチル−４−アザ−17−オキサビシクロ［14．１．０］ヘプタデカン−５，９−ジオン；
（4S, 7R(RS), 8S, 9S, 13E/Z, 16S(E)）−４，８−ジヒドロキシ−16−（２−（２−メチルオキサゾール−４−イル）エテニル）−1−アザ−５，５, ９，13−テトラメチル−７−（２−オキサシクロプロピル−１−エチル）−シクロヘキサデク−13−エン−２，６−ジオン；
（1S/R, 3S(E), 7S, 10R(RS), 11R, 12S, 16R/S）−７，11−ジヒドロキシ−10−（２−オキサシクロプロピル−１−エチル）−３−（２−（２−メチルオキサゾール−４−イル）エテニル）−８，８, １２，１６−テトラメチル−４−アザ−17−オキサビシクロ［14．１．０］ヘプタデカン−５，９−ジオン；
（4S, 7R(RS), 8S, 9S, 13E/Z, 16S(E)）−４，８−ジヒドロキシ−16−（１−フルオロ−２−（２−メチルオキサゾール−４−イル）エテニル）−1−アザ−５，５, ９，13−テトラメチル−７−（２−オキサシクロプロピル−１−エチル）−シクロヘキサデク−13−エン−２，６−ジオン；
（1S/R, 3S(E), 7S, 10R(RS), 11R, 12S, 16R/S）−７，11−ジヒドロキシ−10−（２−オキサシクロプロピル−１−エチル）−３−（１−フルオロ−２−（２−メチルオキサゾール−４−イル）エテニル）−８，８, １２，１６−テトラメチル−４−アザ−17−オキサビシクロ［14．１．０］ヘプタデカン−５，９−ジオン；
（4S, 7R(RS), 8S, 9S, 13E/Z, 16S(E)）−４，８−ジヒドロキシ−16−（１−クロロ−２−（２−メチルオキサゾール−４−イル）エテニル）−1−アザ−５，５, ９，13−テトラメチル−７−（２−オキサシクロプロピル−１−エチル）−シクロヘキサデク−13−エン−２，６−ジオン；
（1S/R, 3S(E), 7S, 10R(RS), 11R, 12S, 16R/S）−７，11−ジヒドロキシ−10−（２−オキサシクロプロピル−１−エチル）−３−（１−クロロ−２−（２−メチルオキサゾール−４−イル）エテニル）−８，８, １２，１６−テトラメチル−４−アザ−17−オキサビシクロ［14．１．０］ヘプタデカン−５，９−ジオン；
（4S, 7R, 8S, 9S, 13E/Z, 16S(E)）−４，８−ジヒドロキシ−16−（１−メチル−２−（２−メチルオキサゾール−４−イル）エテニル）−1−アザ−５，５, ９，13−テトラメチル−７−（プロプ−２−イン−１−イル）−シクロヘキサデク−13−エン−２，６−ジオン；
（1S/R, 3S(E), 7S, 10R, 11R, 12S, 16R/S）−７，11−ジヒドロキシ−10−（プロプ−２−イン−１−イル）−３−（１−メチル−２−（２−メチルオキサゾール−４−イル）エテニル）−８，８, １２，１６−テトラメチル−４−アザ−17−オキサビシクロ［14．１．０］ヘプタデカン−５，９−ジオン；
（4S, 7R, 8S, 9S, 13E/Z, 16S(E)）−４，８−ジヒドロキシ−16−（２−（２−メチルオキサゾール−４−イル）エテニル）−1−アザ−５，５, ９，13−テトラメチル−７−（プロプ−２−イン−１−イル）−シクロヘキサデク−13−エン−２，６−ジオン；
（1S/R, 3S(E), 7S, 10R, 11R, 12S, 16R/S）−７，11−ジヒドロキシ−10−（プロプ−２−イン−１−イル）−３−（２−（２−メチルオキサゾール−４−イル）エテニル）−８，８, １２，１６−テトラメチル−４−アザ−17−オキサビシクロ［14．１．０］ヘプタデカン−５，９−ジオン；
（4S, 7R, 8S, 9S, 13E/Z, 16S(E)）−４，８−ジヒドロキシ−16−（１−フルオロ−２−（２−メチルオキサゾール−４−イル）エテニル）−1−アザ−５，５, ９，13−テトラメチル−７−（プロプ−２−イン−１−イル）−シクロヘキサデク−13−エン−２，６−ジオン；
（1S/R, 3S(E), 7S, 10R, 11R, 12S, 16R/S）−７，11−ジヒドロキシ−10−（プロプ−２−イン−１−イル）−３−（１−フルオロ−２−（２−メチルオキサゾール−４−イル）エテニル）−８，８, １２，１６−テトラメチル−４−アザ−17−オキサビシクロ［14．１．０］ヘプタデカン−５，９−ジオン；
（4S, 7R, 8S, 9S, 13E/Z, 16S(E)）−４，８−ジヒドロキシ−16−（１−クロロ−２−（２−メチルオキサゾール−４−イル）エテニル）−1−アザ−５，５, ９，13−テトラメチル−７−（プロプ−２−イン−１−イル）−シクロヘキサデク−13−エン−２，６−ジオン；
（1S/R, 3S(E), 7S, 10R, 11R, 12S, 16R/S）−７，11−ジヒドロキシ−10−（プロプ−２−イン−１−イル）−３−（１−クロロ−２−（２−メチルオキサゾール−４−イル）エテニル）−８，８, １２，１６−テトラメチル−４−アザ−17−オキサビシクロ［14．１．０］ヘプタデカン−５，９−ジオン；
（4S, 7R, 8S, 9S, 13E/Z, 16S(E)）−４，８−ジヒドロキシ−16−（１−メチル−２−（２−メチルオキサゾール−４−イル）エテニル）−1−アザ−５，５, ９，13−テトラメチル−７−（プロプ−２−エン−１−イル）−シクロヘキサデク−13−エン−２，６−ジオン；
（1S/R, 3S(E), 7S, 10R, 11R, 12S, 16R/S）−７，11−ジヒドロキシ−10−（プロプ−２−エン−１−イル）−３−（１−メチル−２−（２−メチルオキサゾール−４−イル）エテニル）−８，８, １２，１６−テトラメチル−４−アザ−17−オキサビシクロ［14．１．０］ヘプタデカン−５，９−ジオン；
（4S, 7R, 8S, 9S, 13E/Z, 16S(E)）−４，８−ジヒドロキシ−16−（２−（２−メチルオキサゾール−４−イル）エテニル）−1−アザ−５，５, ９，13−テトラメチル−７−（プロプ−２−エン−１−イル）−シクロヘキサデク−13−エン−２，６−ジオン；
（1S/R, 3S(E), 7S, 10R, 11R, 12S, 16R/S）−７，11−ジヒドロキシ−10−（プロプ−２−エン−１−イル）−３−（２−（２−メチルオキサゾール−４−イル）エテニル）−８，８, １２，１６−テトラメチル−４−アザ−17−オキサビシクロ［14．１．０］ヘプタデカン−５，９−ジオン；
（4S, 7R, 8S, 9S, 13E/Z, 16S(E)）−４，８−ジヒドロキシ−16−（１−フルオロ−２−（２−メチルオキサゾール−４−イル）エテニル）−1−アザ−５，５, ９，13−テトラメチル−７−（プロプ−２−エン−１−イル）−シクロヘキサデク−13−エン−２，６−ジオン；
（1S/R, 3S(E), 7S, 10R, 11R, 12S, 16R/S）−７，11−ジヒドロキシ−10−（プロプ−２−エン−１−イル）−３−（１−フルオロ−２−（２−メチルオキサゾール−４−イル）エテニル）−８，８, １２，１６−テトラメチル−４−アザ−17−オキサビシクロ［14．１．０］ヘプタデカン−５，９−ジオン；
（4S, 7R, 8S, 9S, 13E/Z, 16S(E)）−４，８−ジヒドロキシ−16−（１−クロロ−２−（２−メチルオキサゾール−４−イル）エテニル）−1−アザ−５，５, ９，13−テトラメチル−７−（プロプ−２−エン−１−イル）−シクロヘキサデク−13−エン−２，６−ジオン；
（1S/R, 3S(E), 7S, 10R, 11R, 12S, 16R/S）−７，11−ジヒドロキシ−10−（プロプ−２−エン−１−イル）−３−（１−クロロ−２−（２−メチルオキサゾール−４−イル）エテニル）−８，８, １２，１６−テトラメチル−４−アザ−17−オキサビシクロ［14．１．０］ヘプタデカン−５，９−ジオン；
（4S, 7R(RS), 8S, 9S, 13E/Z, 16S(E)）−４，８−ジヒドロキシ−16−（１−メチル−２−（２−メチルオキサゾール−４−イル）エテニル）−1−アザ−５，５, ９，13−テトラメチル−７−（オキサシクロプロピルメチル）−シクロヘキサデク−13−エン−２，６−ジオン；
（1S/R, 3S(E), 7S, 10R(RS), 11R, 12S, 16R/S）−７，11−ジヒドロキシ−10−（オキサシクロプロピルメチル）−３−（１−メチル−２−（２−メチルオキサゾール−４−イル）エテニル）−８，８, １２，１６−テトラメチル−４−アザ−17−オキサビシクロ［14．１．０］ヘプタデカン−５，９−ジオン；
（4S, 7R(RS), 8S, 9S, 13E/Z, 16S(E)）−４，８−ジヒドロキシ−16−（２−（２−メチルオキサゾール−４−イル）エテニル）−1−アザ−５，５, ９，13−テトラメチル−７−（オキサシクロプロピルメチル）−シクロヘキサデク−13−エン−２，６−ジオン；
（1S/R, 3S(E), 7S, 10R(RS), 11R, 12S, 16R/S）−７，11−ジヒドロキシ−10−（オキサシクロプロピルメチル）−３−（２−（２−メチルオキサゾール−４−イル）エテニル）−８，８, １２，１６−テトラメチル−４−アザ−17−オキサビシクロ［14．１．０］ヘプタデカン−５，９−ジオン；
（4S, 7R(RS), 8S, 9S, 13E/Z, 16S(E)）−４，８−ジヒドロキシ−16−（１−フルオロ−２−（２−メチルオキサゾール−４−イル）エテニル）−1−アザ−５，５, ９，13−テトラメチル−７−（オキサシクロプロピルメチル）−シクロヘキサデク−13−エン−２，６−ジオン；
（1S/R, 3S(E), 7S, 10R(RS), 11R, 12S, 16R/S）−７，11−ジヒドロキシ−10−（オキサシクロプロピルメチル）−３−（１−フルオロ−２−（２−メチルオキサゾール−４−イル）エテニル）−８，８, １２，１６−テトラメチル−４−アザ−17−オキサビシクロ［14．１．０］ヘプタデカン−５，９−ジオン；
（4S, 7R(RS), 8S, 9S, 13E/Z, 16S(E)）−４，８−ジヒドロキシ−16−（１−クロロ−２−（２−メチルオキサゾール−４−イル）エテニル）−1−アザ−５，５, ９，13−テトラメチル−７−（オキサシクロプロピルメチル）−シクロヘキサデク−13−エン−２，６−ジオン；
（1S/R, 3S(E), 7S, 10R(RS), 11R, 12S, 16R/S）−７，11−ジヒドロキシ−10−（オキサシクロプロピルメチル）−３−（１−クロロ−２−（２−メチルオキサゾール−４−イル）エテニル）−８，８, １２，１６−テトラメチル−４−アザ−17−オキサビシクロ［14．１．０］ヘプタデカン−５，９−ジオン；
（4S, 7R, 8S, 9S, 13E/Z, 16S(E)）−４，８−ジヒドロキシ−16−（１−メチル−２−（２−ピリジル）エテニル）−1−アザ−５，５−トリメチレン− ９，13−ジメチル−７−（ブト−３−イン−１−イル）−シクロヘキサデク−13−エン−２，６−ジオン；
（1S/R, 3S(E), 7S, 10R, 11R, 12S, 16R/S）−７，11−ジヒドロキシ−10−（ブト−３−イン−１−イル）−３−（１−メチル−２−（２−ピリジル）エテニル）−８，８−トリメチレン−１２，１６−ジメチル−４−アザ−17−オキサビシクロ［14．１．０］ヘプタデカン−５，９−ジオン；
（4S, 7R, 8S, 9S, 13E/Z, 16S(E)）−４，８−ジヒドロキシ−16−（１−フルオロ−２−（２−ピリジル）エテニル）−1−アザ−５，５−トリメチレン− ９，13−ジメチル−７−（プロプ−２−イン−１−イル）−シクロヘキサデク−13−エン−２，６−ジオン；
（1S/R, 3S(E), 7S, 10R, 11R, 12S, 16R/S）−７，11−ジヒドロキシ−10−（プロプ−２−イン−１−イル）−３−（１−フルオロ−２−（２−ピリジル）エテニル）−８，８−トリメチレン−１２，１６−ジメチル−４−アザ−17−オキサビシクロ［14．１．０］ヘプタデカン−５，９−ジオン；
（4S, 7R, 8S, 9S, 13E/Z, 16S(E)）−４，８−ジヒドロキシ−16−（１−フルオロ−２−（２−ピリジル）エテニル）−1−アザ−５，５−トリメチレン− ９，13−ジメチル−７−（プロプ−２−エン−１−イル）−シクロヘキサデク−13−エン−２，６−ジオン；
（1S/R, 3S(E), 7S, 10R, 11R, 12S, 16R/S）−７，11−ジヒドロキシ−10−（プロプ−２−エン−１−イル）−３−（１−フルオロ−２−（２−ピリジル）エテニル）−８，８−トリメチレン−１２，１６−ジメチル−４−アザ−17−オキサビシクロ［14．１．０］ヘプタデカン−５，９−ジオン；
（4S, 7R(RS), 8S, 9S, 13E/Z, 16S(E)）−４，８−ジヒドロキシ−16−（１−フルオロ−２−（２−ピリジル）エテニル）−1−アザ−５，５−トリメチレン− ９，13−ジメチル−７−（オキサシクロプロピルメチル）−シクロヘキサデク−13−エン−２，６−ジオン；
（1S/R, 3S(E), 7S, 10R(RS), 11R, 12S, 16R/S）−７，11−ジヒドロキシ−10−（オキサシクロプロピルメチル）−３−（１−フルオロ−２−（２−ピリジル）エテニル）−８，８−トリメチレン−１２，１６−ジメチル−４−アザ−17−オキサビシクロ［14．１．０］ヘプタデカン−５，９−ジオン；
（4S, 7R, 8S, 9S, 13E/Z, 16S(E)）−４，８−ジヒドロキシ−16−（１−メチル−２−（２−メチルチアゾール−４−イル）エテニル）−1−アザ−５，５−トリメチレン− ９，13−ジメチル−７−（プロプ−２−イン−１−イル）−シクロヘキサデク−13−エン−２，６−ジオン；
（1S/R, 3S(E), 7S, 10R, 11R, 12S, 16R/S）−７，11−ジヒドロキシ−10−（プロプ−２−イン−１−イル）−３−（１−メチル−２−（２−メチルチアゾール−４−イル）エテニル）−８，８−トリメチレン−１２，１６−ジメチル−４−アザ−17−オキサビシクロ［14．１．０］ヘプタデカン−５，９−ジオン；
（4S, 7R, 8S, 9S, 13E/Z, 16S(E)）−４，８−ジヒドロキシ−16−（１−フルオロ−２−（２−メチルチアゾール−４−イル）エテニル）−1−アザ−５，５−トリメチレン− ９，13−ジメチル−７−（プロプ−２−イン−１−イル）−シクロヘキサデク−13−エン−２，６−ジオン；
（1S/R, 3S(E), 7S, 10R, 11R, 12S, 16R/S）−７，11−ジヒドロキシ−10−（プロプ−２−イン−１−イル）−３−（１−フルオロ−２−（２−メチルチアゾール−４−イル）エテニル）−８，８−トリメチレン−１２，１６−ジメチル−４−アザ−17−オキサビシクロ［14．１．０］ヘプタデカン−５，９−ジオン；
（4S, 7R, 8S, 9S, 13E/Z, 16S(E)）−４，８−ジヒドロキシ−16−（２−（２−メチルチアゾール−４−イル）エテニル）−1−アザ−５，５−トリメチレン− ９，13−ジメチル−７−（プロプ−２−エン−１−イル）−シクロヘキサデク−13−エン−２，６−ジオン；
（1S/R, 3S(E), 7S, 10R, 11R, 12S, 16R/S）−７，11−ジヒドロキシ−10−（プロプ−２−エン−１−イル）−３−（２−（２−メチルチアゾール−４−イル）エテニル）−８，８−トリメチレン−１２，１６−ジメチル−４−アザ−17−オキサビシクロ［14．１．０］ヘプタデカン−５，９−ジオン；
（4S, 7R(RS), 8S, 9S, 13E/Z, 16S(E)）−４，８−ジヒドロキシ−16−（１−フルオロ−２−（２−メチルチアゾール−４−イル）エテニル）−1−アザ−５，５−トリメチレン− ９，13−ジメチル−７−（オキサシクロプロピルメチル）−シクロヘキサデク−13−エン−２，６−ジオン；
（1S/R, 3S(E), 7S, 10R(RS), 11R, 12S, 16R/S）−７，11−ジヒドロキシ−10−（オキサシクロプロピルメチル）−３−（１−フルオロ−２−（２−メチルチアゾール−４−イル）エテニル）−８，８−トリメチレン−１２，１６−ジメチル−４−アザ−17−オキサビシクロ［14．１．０］ヘプタデカン−５，９−ジオン；
（4S, 7R, 8S, 9S, 13E/Z, 16S(E)）−４，８−ジヒドロキシ−16−（２−（２−メチルオキサゾール−４−イル）エテニル）−1−アザ−５，５−トリメチレン− ９，13−ジメチル−７−（プロプ−２−イン−１−イル）−シクロヘキサデク−13−エン−２，６−ジオン；
（1S/R, 3S(E), 7S, 10R, 11R, 12S, 16R/S）−７，11−ジヒドロキシ−10−（プロプ−２−イン−１−イル）−３−（２−（２−メチルオキサゾール−４−イル）エテニル）−８，８−トリメチレン−１２，１６−ジメチル−４−アザ−17−オキサビシクロ［14．１．０］ヘプタデカン−５，９−ジオン；
（4S, 7R, 8S, 9S, 13E/Z, 16S(E)）−４，８−ジヒドロキシ−16−（１−フルオロ−２−（２−メチルオキサゾール−４−イル）エテニル）−1−アザ−５，５−トリメチレン− ９，13−ジメチル−７−（プロプ−２−イン−１−イル）−シクロヘキサデク−13−エン−２，６−ジオン；
（1S/R, 3S(E), 7S, 10R, 11R, 12S, 16R/S）−７，11−ジヒドロキシ−10−（プロプ−２−イン−１−イル）−３−（１−フルオロ−２−（２−メチルオキサゾール−４−イル）エテニル）−８，８−トリメチレン−１２，１６−ジメチル−４−アザ−17−オキサビシクロ［14．１．０］ヘプタデカン−５，９−ジオン；
（4S, 7R, 8S, 9S, 13E/Z, 16S(E)）−４，８−ジヒドロキシ−16−（１−メチル−２−（２−メチルオキサゾール−４−イル）エテニル）−1−アザ−５，５−トリメチレン− ９，13−ジメチル−７−（プロプ−２−エン−１−イル）−シクロヘキサデク−13−エン−２，６−ジオン；
（1S/R, 3S(E), 7S, 10R, 11R, 12S, 16R/S）−７，11−ジヒドロキシ−10−（プロプ−２−エン−１−イル）−３−（１−メチル−２−（２−メチルオキサゾール−４−イル）エテニル）−８，８−トリメチレン−１２，１６−ジメチル−４−アザ−17−オキサビシクロ［14．１．０］ヘプタデカン−５，９−ジオン；
（4S, 7R, 8S, 9S, 13E/Z, 16S(E)）−４，８−ジヒドロキシ−16−（１−フルオロ−２−（２−メチルオキサゾール−４−イル）エテニル）−1−アザ−５，５−トリメチレン− ９，13−ジメチル−７−（プロプ−２−エン−１−イル）−シクロヘキサデク−13−エン−２，６−ジオン；
（1S/R, 3S(E), 7S, 10R, 11R, 12S, 16R/S）−７，11−ジヒドロキシ−10−（プロプ−２−エン−１−イル）−３−（１−フルオロ−２−（２−メチルオキサゾール−４−イル）エテニル）−８，８−トリメチレン−１２，１６−ジメチル−４−アザ−17−オキサビシクロ［14．１．０］ヘプタデカン−５，９−ジオン；
（4S, 7R(RS), 8S, 9S, 13E/Z, 16S(E)）−４，８−ジヒドロキシ−16−（２−（２−メチルオキサゾール−４−イル）エテニル）−1−アザ−５，５−トリメチレン− ９，13−ジメチル−７−（オキサシクロプロピルメチル）−シクロヘキサデク−13−エン−２，６−ジオン；
（1S/R, 3S(E), 7S, 10R(RS), 11R, 12S, 16R/S）−７，11−ジヒドロキシ−10−（オキサシクロプロピルメチル）−３−（２−（２−メチルオキサゾール−４−イル）エテニル）−８，８−トリメチレン−１２，１６−ジメチル−４−アザ−17−オキサビシクロ［14．１．０］ヘプタデカン−５，９−ジオン；
（4S, 7R(RS), 8S, 9S, 13E/Z, 16S(E)）−４，８−ジヒドロキシ−16−（１−クロロ−２−（２−メチルオキサゾール−４−イル）エテニル）−1−アザ−５，５−トリメチレン− ９，13−ジメチル−７−（オキサシクロプロピルメチル）−シクロヘキサデク−13−エン−２，６−ジオン；
（1S/R, 3S(E), 7S, 10R(RS), 11R, 12S, 16R/S）−７，11−ジヒドロキシ−10−（オキサシクロプロピルメチル）−３−（１−クロロ−２−（２−メチルオキサゾール−４−イル）エテニル）−８，８−トリメチレン−１２，１６−ジメチル−４−アザ−17−オキサビシクロ［14．１．０］ヘプタデカン−５，９−ジオン；
（4S, 7R, 8S, 9S, 13E/Z, 16S(E)）−４，８−ジヒドロキシ−16−（１−メチル−２−（２−ピリジル）エテニル）−1−オキサ−５，５, ９，13−テトラメチル−７−（３−メチル−ブト−２−エン−１−イル）−シクロヘキサデク−13−エン−２，６−ジオン；
（1S/R, 3S(E), 7S, 10R, 11R, 12S, 16R/S）−７，11−ジヒドロキシ−10−（３−メチル−ブト−２−エン−１−イル）−３−（１−メチル−２−（２−ピリジル）エテニル）−８，８,１２，１６−テトラメチル−４, 17−ジオキサビシクロ［14．１．０］ヘプタデカン−５，９−ジオン；
（4S, 7R, 8S, 9S, 13E/Z, 16S(E)）−４，８−ジヒドロキシ−16−（２−（２−ピリジル）エテニル）−1−オキサ−５，５, ９，13−テトラメチル−７−（３−メチル−ブト−２−エン−１−イル）−シクロヘキサデク−13−エン−２，６−ジオン；
（1S/R, 3S(E), 7S, 10R, 11R, 12S, 16R/S）−７，11−ジヒドロキシ−10−（３−メチル−ブト−２−エン−１−イル）−３−（２−（２−ピリジル）エテニル）−８，８,１２，１６−テトラメチル−４, 17−ジオキサビシクロ［14．１．０］ヘプタデカン−５，９−ジオン；
（4S, 7R, 8S, 9S, 13E/Z, 16S(E)）−４，８−ジヒドロキシ−16−（１−フルオロ−２−（２−ピリジル）エテニル）−1−オキサ−５，５, ９，13−テトラメチル−７−（３−メチル−ブト−２−エン−１−イル）−シクロヘキサデク−13−エン−２，６−ジオン；
（1S/R, 3S(E), 7S, 10R, 11R, 12S, 16R/S）−７，11−ジヒドロキシ−10−（３−メチル−ブト−２−エン−１−イル）−３−（１−フルオロ−２−（２−ピリジル）エテニル）−８，８,１２，１６−テトラメチル−４, 17−ジオキサビシクロ［14．１．０］ヘプタデカン−５，９−ジオン；
（4S, 7R, 8S, 9S, 13E/Z, 16S(E)）−４，８−ジヒドロキシ−16−（１−クロロ−２−（２−ピリジル）エテニル）−1−オキサ−５，５, ９，13−テトラメチル−７−（３−メチル−ブト−２−エン−１−イル）−シクロヘキサデク−13−エン−２，６−ジオン；
（1S/R, 3S(E), 7S, 10R, 11R, 12S, 16R/S）−７，11−ジヒドロキシ−10−（３−メチル−ブト−２−エン−１−イル）−３−（１−クロロ−２−（２−ピリジル）エテニル）−８，８,１２，１６−テトラメチル−４, 17−ジオキサビシクロ［14．１．０］ヘプタデカン−５，９−ジオン；
（4S, 7R, 8S, 9S, 13E/Z, 16S(E)）−４，８−ジヒドロキシ−16−（１−メチル−２−（２−メチルチアゾール−４−イル）エテニル）−1−オキサ−５，５, ９，13−テトラメチル−７−（３−メチル−ブト−２−エン−１−イル）−シクロヘキサデク−13−エン−２，６−ジオン；
（1S/R, 3S(E), 7S, 10R, 11R, 12S, 16R/S）−７，11−ジヒドロキシ−10−（３−メチル−ブト−２−エン−１−イル）−３−（１−メチル−２−（２−メチルチアゾール−４−イル）エテニル）−８，８,１２，１６−テトラメチル−４, 17−ジオキサビシクロ［14．１．０］ヘプタデカン−５，９−ジオン；
（4S, 7R, 8S, 9S, 13E/Z, 16S(E)）−４，８−ジヒドロキシ−16−（２−（２−メチルチアゾール−４−イル）エテニル）−1−オキサ−５，５, ９，13−テトラメチル−７−（３−メチル−ブト−２−エン−１−イル）−シクロヘキサデク−13−エン−２，６−ジオン；
（1S/R, 3S(E), 7S, 10R, 11R, 12S, 16R/S）−７，11−ジヒドロキシ−10−（３−メチル−ブト−２−エン−１−イル）−３−（２−（２−メチルチアゾール−４−イル）エテニル）−８，８,１２，１６−テトラメチル−４, 17−ジオキサビシクロ［14．１．０］ヘプタデカン−５，９−ジオン；
（4S, 7R, 8S, 9S, 13E/Z, 16S(E)）−４，８−ジヒドロキシ−16−（１−フルオロ−２−（２−メチルチアゾール−４−イル）エテニル）−1−オキサ−５，５, ９，13−テトラメチル−７−（３−メチル−ブト−２−エン−１−イル）−シクロヘキサデク−13−エン−２，６−ジオン；
（1S/R, 3S(E), 7S, 10R, 11R, 12S, 16R/S）−７，11−ジヒドロキシ−10−（３−メチル−ブト−２−エン−１−イル）−３−（１−フルオロ−２−（２−メチルチアゾール−４−イル）エテニル）−８，８,１２，１６−テトラメチル−４, 17−ジオキサビシクロ［14．１．０］ヘプタデカン−５，９−ジオン；
（4S, 7R, 8S, 9S, 13E/Z, 16S(E)）−４，８−ジヒドロキシ−16−（１−クロロ−２−（２−メチルチアゾール−４−イル）エテニル）−1−オキサ−５，５, ９，13−テトラメチル−７−（３−メチル−ブト−２−エン−１−イル）−シクロヘキサデク−13−エン−２，６−ジオン；
（1S/R, 3S(E), 7S, 10R, 11R, 12S, 16R/S）−７，11−ジヒドロキシ−10−（３−メチル−ブト−２−エン−１−イル）−３−（１−クロロ−２−（２−メチルチアゾール−４−イル）エテニル）−８，８,１２，１６−テトラメチル−４, 17−ジオキサビシクロ［14．１．０］ヘプタデカン−５，９−ジオン；
（4S, 7R, 8S, 9S, 13E/Z, 16S(E)）−４，８−ジヒドロキシ−16−（１−メチル−２−（２−メチルオキサゾール−４−イル）エテニル）−1−オキサ−５，５, ９，13−テトラメチル−７−（３−メチル−ブト−２−エン−１−イル）−シクロヘキサデク−13−エン−２，６−ジオン；
（1S/R, 3S(E), 7S, 10R, 11R, 12S, 16R/S）−７，11−ジヒドロキシ−10−（３−メチル−ブト−２−エン−１−イル）−３−（１−メチル−２−（２−メチルオキサゾール−４−イル）エテニル）−８，８,１２，１６−テトラメチル−４, 17−ジオキサビシクロ［14．１．０］ヘプタデカン−５，９−ジオン；
（4S, 7R, 8S, 9S, 13E/Z, 16S(E)）−４，８−ジヒドロキシ−16−（２−（２−メチルオキサゾール−４−イル）エテニル）−1−オキサ−５，５, ９，13−テトラメチル−７−（３−メチル−ブト−２−エン−１−イル）−シクロヘキサデク−13−エン−２，６−ジオン；
（1S/R, 3S(E), 7S, 10R, 11R, 12S, 16R/S）−７，11−ジヒドロキシ−10−（３−メチル−ブト−２−エン−１−イル）−３−（２−（２−メチルオキサゾール−４−イル）エテニル）−８，８,１２，１６−テトラメチル−４, 17−ジオキサビシクロ［14．１．０］ヘプタデカン−５，９−ジオン；
（4S, 7R, 8S, 9S, 13E/Z, 16S(E)）−４，８−ジヒドロキシ−16−（１−フルオロ−２−（２−メチルオキサゾール−４−イル）エテニル）−1−オキサ−５，５, ９，13−テトラメチル−７−（３−メチル−ブト−２−エン−１−イル）−シクロヘキサデク−13−エン−２，６−ジオン；
（1S/R, 3S(E), 7S, 10R, 11R, 12S, 16R/S）−７，11−ジヒドロキシ−10−（３−メチル−ブト−２−エン−１−イル）−３−（１−フルオロ−２−（２−メチルオキサゾール−４−イル）エテニル）−８，８,１２，１６−テトラメチル−４, 17−ジオキサビシクロ［14．１．０］ヘプタデカン−５，９−ジオン；
（4S, 7R, 8S, 9S, 13E/Z, 16S(E)）−４，８−ジヒドロキシ−16−（１−クロロ−２−（２−メチルオキサゾール−４−イル）エテニル）−1−オキサ−５，５, ９，13−テトラメチル−７−（３−メチル−ブト−２−エン−１−イル）−シクロヘキサデク−13−エン−２，６−ジオン；
（1S/R, 3S(E), 7S, 10R, 11R, 12S, 16R/S）−７，11−ジヒドロキシ−10−（３−メチル−ブト−２−エン−１−イル）−３−（１−クロロ−２−（２−メチルオキサゾール−４−イル）エテニル）−８，８,１２，１６−テトラメチル−４, 17−ジオキサビシクロ［14．１．０］ヘプタデカン−５，９−ジオン；
（4S, 7R, 8S, 9S, 13E/Z, 16S(E)）−４，８−ジヒドロキシ−16−（１−メチル−２−（２−ピリジル）エテニル）−1−アザ−５，５, ９，13−テトラメチル−７−（３−メチル−ブト−２−エン−１−イル）−シクロヘキサデク−13−エン−２，６−ジオン；
（1S/R, 3S(E), 7S, 10R, 11R, 12S, 16R/S）−７，11−ジヒドロキシ−10−（３−メチル−ブト−２−エン−１−イル）−３−（１−メチル−２−（２−ピリジル）エテニル）−８，８,１２，１６−テトラメチル−４−アザ− 17−オキサビシクロ［14．１．０］ヘプタデカン−５，９−ジオン；
（4S, 7R, 8S, 9S, 13E/Z, 16S(E)）−４，８−ジヒドロキシ−16−（２−（２−ピリジル）エテニル）−1−アザ−５，５, ９，13−テトラメチル−７−（３−メチル−ブト−２−エン−１−イル）−シクロヘキサデク−13−エン−２，６−ジオン；
（1S/R, 3S(E), 7S, 10R, 11R, 12S, 16R/S）−７，11−ジヒドロキシ−10−（３−メチル−ブト−２−エン−１−イル）−３−（２−（２−ピリジル）エテニル）−８，８,１２，１６−テトラメチル−４−アザ− 17−オキサビシクロ［14．１．０］ヘプタデカン−５，９−ジオン；
（4S, 7R, 8S, 9S, 13E/Z, 16S(E)）−４，８−ジヒドロキシ−16−（１−フルオロ−２−（２−ピリジル）エテニル）−1−アザ−５，５, ９，13−テトラメチル−７−（３−メチル−ブト−２−エン−１−イル）−シクロヘキサデク−13−エン−２，６−ジオン；
（1S/R, 3S(E), 7S, 10R, 11R, 12S, 16R/S）−７，11−ジヒドロキシ−10−（３−メチル−ブト−２−エン−１−イル）−３−（１−フルオロ−２−（２−ピリジル）エテニル）−８，８,１２，１６−テトラメチル−４−アザ− 17−オキサビシクロ［14．１．０］ヘプタデカン−５，９−ジオン；
（4S, 7R, 8S, 9S, 13E/Z, 16S(E)）−４，８−ジヒドロキシ−16−（１−クロロ−２−（２−ピリジル）エテニル）−1−アザ−５，５, ９，13−テトラメチル−７−（３−メチル−ブト−２−エン−１−イル）−シクロヘキサデク−13−エン−２，６−ジオン；
（1S/R, 3S(E), 7S, 10R, 11R, 12S, 16R/S）−７，11−ジヒドロキシ−10−（３−メチル−ブト−２−エン−１−イル）−３−（１−クロロ−２−（２−ピリジル）エテニル）−８，８,１２，１６−テトラメチル−４−アザ− 17−オキサビシクロ［14．１．０］ヘプタデカン−５，９−ジオン；
（4S, 7R, 8S, 9S, 13E/Z, 16S(E)）−４，８−ジヒドロキシ−16−（１−メチル−２−（２−メチルチアゾール−４−イル）エテニル）−1−アザ−５，５, ９，13−テトラメチル−７−（３−メチル−ブト−２−エン−１−イル）−シクロヘキサデク−13−エン−２，６−ジオン；
（1S/R, 3S(E), 7S, 10R, 11R, 12S, 16R/S）−７，11−ジヒドロキシ−10−（３−メチル−ブト−２−エン−１−イル）−３−（１−メチル−２−（２−メチルチアゾール−４−イル）エテニル）−８，８,１２，１６−テトラメチル−４−アザ− 17−オキサビシクロ［14．１．０］ヘプタデカン−５，９−ジオン；
（4S, 7R, 8S, 9S, 13E/Z, 16S(E)）−４，８−ジヒドロキシ−16−（２−（２−メチルチアゾール−４−イル）エテニル）−1−アザ−５，５, ９，13−テトラメチル−７−（３−メチル−ブト−２−エン−１−イル）−シクロヘキサデク−13−エン−２，６−ジオン；
（1S/R, 3S(E), 7S, 10R, 11R, 12S, 16R/S）−７，11−ジヒドロキシ−10−（３−メチル−ブト−２−エン−１−イル）−３−（２−（２−メチルチアゾール−４−イル）エテニル）−８，８,１２，１６−テトラメチル−４−アザ− 17−オキサビシクロ［14．１．０］ヘプタデカン−５，９−ジオン；
（4S, 7R, 8S, 9S, 13E/Z, 16S(E)）−４，８−ジヒドロキシ−16−（１−フルオロ−２−（２−メチルチアゾール−４−イル）エテニル）−1−アザ−５，５, ９，13−テトラメチル−７−（３−メチル−ブト−２−エン−１−イル）−シクロヘキサデク−13−エン−２，６−ジオン；
（1S/R, 3S(E), 7S, 10R, 11R, 12S, 16R/S）−７，11−ジヒドロキシ−10−（３−メチル−ブト−２−エン−１−イル）−３−（１−フルオロ−２−（２−メチルチアゾール−４−イル）エテニル）−８，８,１２，１６−テトラメチル−４−アザ− 17−オキサビシクロ［14．１．０］ヘプタデカン−５，９−ジオン；
（4S, 7R, 8S, 9S, 13E/Z, 16S(E)）−４，８−ジヒドロキシ−16−（１−クロロ−２−（２−メチルチアゾール−４−イル）エテニル）−1−アザ−５，５, ９，13−テトラメチル−７−（３−メチル−ブト−２−エン−１−イル）−シクロヘキサデク−13−エン−２，６−ジオン；
（1S/R, 3S(E), 7S, 10R, 11R, 12S, 16R/S）−７，11−ジヒドロキシ−10−（３−メチル−ブト−２−エン−１−イル）−３−（１−クロロ−２−（２−メチルチアゾール−４−イル）エテニル）−８，８,１２，１６−テトラメチル−４−アザ− 17−オキサビシクロ［14．１．０］ヘプタデカン−５，９−ジオン；
（4S, 7R, 8S, 9S, 13E/Z, 16S(E)）−４，８−ジヒドロキシ−16−（１−メチル−２−（２−メチルオキサゾール−４−イル）エテニル）−1−アザ−５，５, ９，13−テトラメチル−７−（３−メチル−ブト−２−エン−１−イル）−シクロヘキサデク−13−エン−２，６−ジオン；
（1S/R, 3S(E), 7S, 10R, 11R, 12S, 16R/S）−７，11−ジヒドロキシ−10−（３−メチル−ブト−２−エン−１−イル）−３−（１−メチル−２−（２−メチルオキサゾール−４−イル）エテニル）−８，８,１２，１６−テトラメチル−４−アザ− 17−オキサビシクロ［14．１．０］ヘプタデカン−５，９−ジオン；
（4S, 7R, 8S, 9S, 13E/Z, 16S(E)）−４，８−ジヒドロキシ−16−（２−（２−メチルオキサゾール−４−イル）エテニル）−1−アザ−５，５, ９，13−テトラメチル−７−（３−メチル−ブト−２−エン−１−イル）−シクロヘキサデク−13−エン−２，６−ジオン；
（1S/R, 3S(E), 7S, 10R, 11R, 12S, 16R/S）−７，11−ジヒドロキシ−10−（３−メチル−ブト−２−エン−１−イル）−３−（２−（２−メチルオキサゾール−４−イル）エテニル）−８，８,１２，１６−テトラメチル−４−アザ− 17−オキサビシクロ［14．１．０］ヘプタデカン−５，９−ジオン；
（4S, 7R, 8S, 9S, 13E/Z, 16S(E)）−４，８−ジヒドロキシ−16−（１−フルオロ−２−（２−メチルオキサゾール−４−イル）エテニル）−1−アザ−５，５, ９，13−テトラメチル−７−（３−メチル−ブト−２−エン−１−イル）−シクロヘキサデク−13−エン−２，６−ジオン；
（1S/R, 3S(E), 7S, 10R, 11R, 12S, 16R/S）−７，11−ジヒドロキシ−10−（３−メチル−ブト−２−エン−１−イル）−３−（１−フルオロ−２−（２−メチルオキサゾール−４−イル）エテニル）−８，８,１２，１６−テトラメチル−４−アザ− 17−オキサビシクロ［14．１．０］ヘプタデカン−５，９−ジオン；
（4S, 7R, 8S, 9S, 13E/Z, 16S(E)）−４，８−ジヒドロキシ−16−（１−クロロ−２−（２−メチルオキサゾール−４−イル）エテニル）−1−アザ−５，５, ９，13−テトラメチル−７−（３−メチル−ブト−２−エン−１−イル）−シクロヘキサデク−13−エン−２，６−ジオン；
（1S/R, 3S(E), 7S, 10R, 11R, 12S, 16R/S）−７，11−ジヒドロキシ−10−（３−メチル−ブト−２−エン−１−イル）−３−（１−クロロ−２−（２−メチルオキサゾール−４−イル）エテニル）−８，８,１２，１６−テトラメチル−４−アザ− 17−オキサビシクロ［14．１．０］ヘプタデカン−５，９−ジオンから成る群から選択される請求項１記載の化合物。
【請求項７】  Zが酸素である請求項１記載の化合物。
【請求項８】  R1a及びR1bが、一緒になって、トリメチレン基を形成する請求項１記載の化合物。
【請求項９】  R1aが水素である請求項１記載の化合物。
【請求項１０】  R2aが水素であり、そしてR2bがアリル、プロプ−２−イニル、ブト−３−イニル又はブト−３−エニルである請求項１記載の化合物。
【請求項１１】  R3a及びR3bが、一緒になって、H/OHである請求項１記載の化合物。
【請求項１２】  R4がメチル、エチル、プロピル、ｎ−ブチル、i−ブチル、ｔ−ブチル又はベンジルである請求項１記載の化合物。
【請求項１３】  R5がH、C1-5アルキル又は−(CH2)s−Tであり、ここでTがOH, F又はClであり、そしてｓが１又は２である請求項１記載の化合物。
【請求項１４】  Gが二環式環中に少なくとも１つの窒素原子を有する二環式複素アリール基である請求項１記載の化合物。
【請求項１５】  Gが２−メチルベンゾオキサゾール−５−イル又は２−メチルベンゾチアゾール−５−イル基である請求項１記載の化合物。
【請求項１６】  Gが基X＝CR6であり、ここでR6はC1−C4アルキル、水素、F, Cl又はBrであり；そしてXがCR10R11であり、ここでR10及びR11の１つは水素であり、そして他の1つは複素環式アリール基である請求項１記載の化合物。
【請求項１７】  前記複素環式アリール基が、２−メチルチアゾール−４−イル又は２−ピリジルである請求項16記載の化合物。
【請求項１８】  −A−Y−が、−０−C（＝O）又は−NR29−C（＝）−であり、ここでR29が水素又はC1−C3アルキルである請求項１記載の化合物。
【請求項１９】  請求項１記載の式Iの化合物及び医薬的に許容できるアジュバンド又はビークルを含んで成る医薬組成物。
【請求項２０】  請求項１記載の式Iの化合物0.1〜100mgを含む用量単位の形で存在する請求項19記載の組成物。
【請求項２１】  請求項１記載の式Iの化合物を投与することを含んで成る、細胞成長、分裂及び/又は増殖に関連する疾病又は疾状を処理するための方法。
【請求項２２】  前記式Iの化合物が、0.1〜100mg/日の用量でヒトに投与される請求項21記載の方法。
【請求項２３】  請求項１記載の式Iの化合物を、インビボで供給する存在物を含んで成る、請求項１記載の式Iの化合物のためのプロドラッグ。
【請求項２４】  請求項１記載の式Iの化合物の製造方法をであって、
下記式ABC−１又はABC−２：
【化４】
2002543203.tif 000004
［R14, Z, R1a, R4, D, E, R8, R6, R7及びGは請求項１に与えられる意味を有し；
R1a’, R1b’, R2a’及びR2b’は、請求項１記載のR1a, R1b, R2a 及びR2b のために与えられる意味を有し；
R13は、CH2OR13a、CH2−Hal, CHO, CO2R13b又はCOHalを意味し；
R13aは、水素、SO2−アルキル、 SO2−アリール、SO2−アラルキル、あるいは一緒になって−(CH2)o−基又は一緒になってCR15aR15b基を意味し；
R13bは、水素、C1−C10アルキル、C6−C12アリール、C7−C20アラルキルを意味し、それぞれ任意に置換されていてもよく；
R15a及びR15bは、同じであっても又は異なっていても良く、そして水素、C1−C10アルキル、アリール、C7−C20アラルキル、又は一緒になって−(CH2)q基を意味し；
RG14’は、水素又は保護基であり；
R20は、ハロゲン、N3、 NHR29、 ヒドロキシ基、保護されたヒドロキシ基O−PG2、保護されたアミノ基NR29PG2、C1−C10アルキルスルホニルオキシ基（任意には、ペルフルオロ化され得る）、ベンゾイルオキシ基（任意には、C1−C4アルキル、ニトロ、塩素又は臭素により置換される）、NR29SO2CH3基、NR29C(=O)CH3基、CH2−C(＝O)−CH3基を意味し；
R30は、水素を意味し、
R31は、ヒドロキシル基を意味し、又は
R30及びR31は、一緒になって酸素原子又はC2−C10アルキレン−α，ω−ジオキシ基（直鎖又は枝分かれ鎖であり得る）を意味し；又は
R31及びR31は、独立して、C1−C10アルコキシ基を意味する］
で表される化合物を環化することを含んで成る方法。
【請求項２５】  前記ABC−１又はABC−２の化合物が、下記式AB−１又はAB−２：
【化５】
2002543203.tif 000005
で表される中間体と、下記式Cf：
【化６】
2002543203.tif 000006
で表されるフラグメントとを反応せしめるか、又は下記式BC：
【化７】
2002543203.tif 000007
で表される中間体と、下記A−１又はA−２：
【化８】
2002543203.tif 000008
で表されるフラグメントとを反応せしめることによって調製され、ここで上記式中、
Vは、酸素原子、２つのアルコキシ基OR17, C2−C10アルキレン−α，ω−ジオキシ基（直鎖又は枝分かれ鎖であり得る）、又はH/OR16を意味し；
Wは、酸素原子、２つのアルコキシ基OR19, C2−C10アルキレン−α，ω−ジオキシ基（直鎖又は枝分かれ鎖であり得る）、又はH/OR18を意味し；
G’は、基X＝C8’、二環式又は三環式アリール基を意味し；
R8’は、R8について一般式Iにおいてすでに言及された意味を有し；
R7’は、水素原子を意味し；
R13aは、水素、SO2−アルキル、SO2−アリール、SO2−アラルキル、あるいはは一緒になって−(CH2)o−基又は一緒になってCR15aR15b基を意味し；
R13bは、水素、C1−C20アルキル、C6−C12アリール、C7−C20アラルキルを意味し、それぞれ任意に置換されていてもよく；
R15a及びR15bは、同じであっても又は異なっていてもよく、そして水素、C1−C10アルキル、アリール、C7−C20アラルキル、又は一緒になって−(CH2)q基を意味し；
Xは、酸素原子、２つのアルコキシ基OR23、C2−C10アルキレン−α，ω−ジオキシ基（直鎖又は枝分かれ鎖であり得る）、H/OR9又は基CR10R11を意味し；
R23は、C1−C20アルキル基を表し；
R3は、水素又は保護基PG3を表し；
R10及びR11は、同じであっても又は異なっていてもよく、そして水素、C1−C20アルキル、C6−C12アリール又はC7−C20アラルキル基を意味し、それぞれ任意に置換されていてもよく、あるいはR10及びR11は、メチレン炭素原子と一緒になって、通常、５〜７員の炭素環式環を表し；
R31は、ヒドロキシ基、ハロゲン、保護されたヒドロキシ基OPG3、ハロゲン化ホスホニウム基PPh3+Hal-（Ph＝フェニル；Hal＝F, Cl, Br, I）、ホスホネート基P(O)(OQ)2 (Q＝C1−C10アルキル又はフェニル)、又は酸化ホスフィン基P（O）Ph2（Ph＝フェニル）を意味し；
R14’は、水素、OR14a, Hal, OSO2R14bを意味し；
R14aは、水素、SO2−アルキル、SO2−アリール、SO2−アラルキル、あるいは一緒になって−(CH2)o−基又は一緒になってCR15aR15b基を意味し；
R14bは、水素、C1−C20アルキル、C6−C17アリール、C7−C20アラルキルを意味し、それぞれ任意に置換されていてもよく；
Oは、２〜４を意味し；
ｑは、３〜６を意味し；そして
他の変数は上記で定義された通りである請求項24記載の方法。
【請求項２６】  前記中間体AB−１及びAB−２が、フラグメントA−１、A−２又はCfと、下記式Bf：
【化９】
2002543203.tif 000009
［式中、R1a’, R4’及びR5’は、それぞれ、R1a, R4及びR5について与えられた意味を有する］で表されるフラグメントとを反応せしめることによって調製される請求項25記載の方法。
【請求項２７】  （1S，3S，7S，10R，11S，12S，16R）−７，11−ジヒドロキシ−３−（２−メチル−ベンゾチアゾール−５−イル）−10−プロプ−２−エン−１−イル）−  ８，８，12，16−テトラメチル−４，17−ジオキサビシクロ［14．１．０］ヘプタデカン−５，９−ジオンである請求項１に記載の化合物。
【請求項２８】  請求項27に記載の化合物を含んで成る医薬組成物。
【請求項２９】  下記式Ａ−１又はＡ−２：
【化１０】
2002543203.tif 000010
［式中、R1a'及びR1b'は同じであっても又は異なっていてもよく、そして水素、C1−C10アルキル、C6−C12アリール、又はC7−C20アラルキルを意味し、それぞれ任意に置換されていてもよく；あるいは一緒になって、−(CH2)m−基（ｍは１，２，３，４又は５である）又は−（CH2）−O−（CH2）−基を意味し；
R2a'は、水素、C1−C10アルキル、C6−C12アリール、又はC7−C20アラルキル（それぞれ任意に置換されていてもよい）、−(CH2)ra−C≡C−(CH2)pa−R26a、−(CH2)ra−C＝C−(CH2)pa−R26a、
【化１１】
2002543203.tif 000011
を意味し；
R2b'は、−(CH2)rb−C≡C−(CH2)pb−R26b、−(CH2)rb−C＝C−(CH2)pb−R26b、
【化１２】
2002543203.tif 000012
を意味し；
ｎは、０〜５を意味し；
ra及びrbは、同じであっても又は異なっていてもよく、そして０〜４を意味し；
pa及びpbは、同じであっても又は異なっていてもよく、そして０〜３を意味し；
R26a及びR26bは、同じであっても又は異なっていてもよく、そして水素；C1−C10アルキル、C6−C12アリール又はC7−C20アラルキル（それぞれ任意に置換されていてもよい）；C1−C10アシルを意味し、あるいはpa又はpb＞０である場合、さらに、基OR27を意味し；
R27は、水素又は保護基PG6を意味し；
R13は、CH2OR13a、CH2−Hal, CHO, CO2R13b又はCOHalを意味し；
R14’は、水素、OR14a、Hal、OSO3R14bを意味し；
R13a及びR14aは、水素、SO2−アルキル、 SO2−アリール、SO2−アラルキル、あるいは一緒になって−(CH2)o−基又は一緒になってCR15aR15b基を意味し；
R13b及びR14bは、水素、C1−C10アルキル、C6−C12アリール、C7−C20アラルキルを意味し、それぞれ任意に置換されていてもよく；
R15a及びR15bは、同じであっても又は異なっていてもよく、そして水素、C1−C10アルキル、アリール、C7−C20アラルキル又は一緒になって−(CH2)q基を意味し；
oは、２〜４を意味し；
qは、３〜６を意味する］
で表される化合物、又はすべての立体異性体及びそれらの混合物、あるいはR13, R14’及びR31におけるヒドロキシル基のエーテル化又はエステル化物、あるいはカルボニル基のケタール化物、エノールエーテル化物、あるいは塩。
【請求項３０】  R14'又はR31がOHであり、R1a'及びR1b'の両方がメチルであり、そしてR2a'及びR2b'の一方が水素でありそして他方がプロプ−２−エン−１−イルである、請求項29に記載の化合物。
【手続補正２】
【補正対象書類名】明細書
【補正対象項目名】０３６７
【補正方法】変更
【補正の内容】
【０３６７】
例31：
（1S, 3S, 7S, 10R, 11S, 12S, 16R）−７，11−ジヒドロキシ−３−（２−メチルベンゾチアゾール−５−イル）−10−（プロプ−２−エン−１−イル）−８，８，１２，１６−テトラメチル−４，17−ジオキサビシクロ［14．１．０］ヘプタデカン−５，９−ジオン（A）、及び（1R, 3S, 7S, 10R, 11S, 12S, 16S）−７，11−ジヒドロキシ−３−（２−メチルベンゾチアゾール−５−イル）−10−（プロプ−２−エン−１−イル）−８，８，１２，１６−テトラメチル−４，17−ジオキサビシクロ［14．１．０］ヘプタデカン−５，９−ジオン（B）：
例10に類似して、標記化合物A13.6mg及び標記化合物B4.5mgを、例29において生成される標記化合物25.0mgから得る。